(57)【要約】【課題】冷蔵庫等の扉部のためのヒンジ装置において、扉部の開閉動に連動して扉部の回転の中心を移動させつつも、がたつき等の不都合を招くことなく開閉動を安定させる。【解決手段】冷蔵庫本体１０２に取り付けられヒンジピン１５３を有する軸部材１０５と、扉部１０３に取り付けられヒンジピン１５３に対して相対移動可能に且つ相対回動可能に接触する長孔１０７ｂを有する軸受部材１０７と、ヒンジピン１５３に設けられ軸受部材１０７のカムフォロア１０７ｄと摺接してカム機構Ｃを構成するカム１０９とを備える。ヒンジピン１５３と長孔１０７ｂとの間の接触、及びカム１０９とカムフォロア１０７ｄとの間の接触は、それぞれ扉部１０３の開閉角度状況に拘らず常時保持され、扉部１０３の開閉動に連動して、ヒンジピン１５３と長孔１０７ｂとの間の接触とカム機構Ｃとが協働することにより、扉部１０３の開閉動を案内する。【選択図】図２
2015135228.tif 000002
【特許請求の範囲】
【請求項１】
前側に開口する開口部に連通する貯蔵室が設けられた庫本体と、該開口部を開閉する少なくとも１枚の扉部との間に介在して設けられるヒンジ装置であって、
前記庫本体に取り付けられ、スライド部を有する本体側部材と、
前記扉部に取り付けられ、前記スライド部に対して相対移動可能に且つ相対回動可能に接触する被スライド部を有する扉側部材と、
前記本体側部材又は扉側部材の一方に設けられ、本体側部材又は扉側部材の他方に対して接触する中間部材とを備え、
前記スライド部と被スライド部との間の接触、及び扉側部材と本体側部材との間の前記中間部材を介した接触は、それぞれ、扉部が庫本体の開口部を閉じる閉塞位置にある場合、扉部が開閉途中の位置にある場合、及び扉部が開口部を開放した開放位置にある場合のうち、いずれの場合においても常時保持され、
前記扉部は、その開閉動に連動して、前記スライド部と被スライド部との間の接触と、前記中間部材を介した接触とが協働することにより、該扉部の前記庫本体に対する回転の中心が該庫本体に対して所定の軌道に沿って移動するように案内されることを特徴とするヒンジ装置。
【請求項２】
請求項１に記載のヒンジ装置において、
前記本体側部材、前記中間部材及び扉側部材は、前記扉部が閉塞位置にある場合、開閉途中の位置にある場合、及び開放位置にある場合のうち、いずれの場合においても、前記扉部の回転の中心が延びる方向から見て、互いに重なり合う領域を有することを特徴とするヒンジ装置。
【請求項３】
請求項１又は２に記載のヒンジ装置において、
前記扉側部材又は本体側部材の一方に設けられ、前記中間部材として構成されるカムと、
前記扉側部材又は本体側部材の他方に設けられ、前記扉部が閉塞位置、開閉途中の位置、及び開放位置にあるときに、前記カムに常時摺接するカムフォロアと、
前記スライド部及び被スライド部のうちの一方として構成されるスライドピンと、
前記スライド部及び被スライド部のうちの他方として構成され、前記スライドピンが挿通される長孔とを備え、
前記カム及びカムフォロアは、前記扉部の開閉動に連動して、前記スライドピンを前記長孔の一端部から他端部まで移動させるカム機構として構成されていることを特徴とするヒンジ装置。
【請求項４】
請求項３に記載のヒンジ装置において、
前記カムは、
前記スライドピンの外周側に設けられた第１及び第２カム部を備え、
前記カムフォロアは、
前記第１及び第２カム部とそれぞれ摺接する第１及び第２フォロア部を備え、
前記扉部が閉塞位置、開放位置及び開閉途中の位置にあるときに、前記第１フォロア部と第１カム部との摺接、前記長孔の内周面と前記スライドピンの外周面との摺接、及び前記第２フォロア部と第２カム部との摺接が、常時保持されるように構成されていることを特徴とするヒンジ装置。
【請求項５】
請求項４に記載のヒンジ装置において、
前記第１カム部は、
前記第１フォロア部と当接して前記扉部を閉塞位置に保持する第１位置決め面と、
前記第１フォロア部と摺接して、前記スライドピンを前記長孔の一端部から他端部に移動させる第１カム面と、
前記長孔の他端部にある前記スライドピンを中心とした円弧状の第１案内面とを備え、
前記第１フォロア部は、前記扉部が閉塞位置から開くときに、前記第１位置決め面、前記第１カム面、及び前記第１案内面を順次連続して摺動するように構成され、
前記第２カム部は、
前記第２フォロア部と当接して扉部を閉塞位置に保持する第２位置決め面と、
前記第１フォロア部と前記第１カム部とが摺動するときに、前記第２フォロア部と摺接して前記スライドピンを前記長孔の一端部から他端部に移動させる第２カム面と、
前記長孔の他端部にある前記スライドピンを中心とした円弧状の第２案内面とを備え、
前記第２フォロア部は、前記扉部が閉塞位置から開くときに、前記第２位置決め面、前記第２カム面、及び前記第２案内面を順次連続して摺動するように構成されていることを特徴とするヒンジ装置。
【請求項６】
請求項３から５のいずれか１つに記載のヒンジ装置において、
前記カムに、前記カムフォロアと当接して前記扉部を開放位置に保持する回り止め面が設けられていることを特徴とするヒンジ装置。
【請求項７】
請求項３から６のいずれか１つに記載のヒンジ装置において、
前記扉側部材には、前記本体側部材と当接して前記扉部を開放位置に保持するストッパ部が設けられ、
前記カム機構は、前記扉部が閉塞位置から開くときに、前記カムとカムフォロアとの摺接により前記スライドピンを前記長孔の一端部に移動させることによって、前記ストッパ部と前記本体側部材との当接箇所と、該スライドピンとの間を互いに離隔させるように構成されていることを特徴とするヒンジ装置。
【請求項８】
前側に開口する開口部に連通する貯蔵室が設けられた庫本体と、該庫本体に左右端部の少なくとも一方で上下のヒンジ装置を介して揺動可能に支持され、庫本体の開口部を開閉する少なくとも１枚の扉部とを備えた冷却貯蔵庫において、
前記扉部の後面には、該扉部が開口部を閉じたときに該開口部周りの庫本体の前面と扉部の後面との間をシールするガスケットと、該ガスケットよりも開口部の内側に位置する対向面とが設けられ、
上下のヒンジ装置の少なくとも一方は、
前記庫本体に固定される本体側部材と、
前記扉部に固定される扉側部材とを備え、
前記本体側部材及び扉側部材のうちの一方にはスライドピンが設けられる一方、他方には、該スライドピンが相対回動可能かつ相対移動可能に挿通される長孔が設けられ、
前記本体側部材及び扉側部材の一方に設けられたカムと、本体側部材及び扉側部材の他方に設けられ、前記扉部が開口部を閉塞する閉塞位置、当該開口部を開放する開放位置及び開閉途中の位置にあるときに、前記カムに常時摺接するカムフォロアとを有するカム機構を備え、
前記カム機構は、前記カムとカムフォロアとの摺接に伴い、前記扉部が閉塞位置から開くときに、前記スライドピンを長孔の一端部に移動させて前記ガスケットを前記庫本体の前面から離隔させて該庫本体の前面とのシールを解除する一方、該扉部が閉じるときに、該スライドピンを長孔の他端部に移動させて該ガスケットを該庫本体の前面に当接させて該庫本体の前面との間をシールすると共に、前記対向面を前記開口部周りの庫本体の前面に当接させ又は近接させて閉塞位置に位置決めするように構成されていることを特徴とする冷却貯蔵庫。
【請求項９】
請求項８に記載の冷却貯蔵庫において、
前記カムは、
前記スライドピンの外周側に設けられた第１及び第２カム部を備え、
前記カムフォロアは、
前記第１及び第２カム部とそれぞれ摺接する第１及び第２フォロア部を備え、
前記扉部が閉塞位置、開放位置及び開閉途中の位置にあるときに、前記第１フォロア部と第１カム部との摺接、前記長孔の内周面と前記スライドピンの外周面との摺接、及び前記第２フォロア部と第２カム部との摺接が、常時保持されるように構成されていることを特徴とする冷却貯蔵庫。
【請求項１０】
請求項８又は９に記載の冷却貯蔵庫において、
前記扉部の上側に設けられる上ヒンジ装置は、
前記庫本体に取り付けられる上本体側部材と、
前記扉部に取り付けられる上扉側部材とを備え、
前記上本体側部材及び上扉側部材の一方には、スライドピンが設けられる一方、該上本体側部材及び上扉側部材の他方には、該スライドピンを相対回動可能に支持する円形孔、又は該スライドピンを相対回動可能にかつ、相対移動可能に支持する長孔が設けられ、
前記扉部が開閉するときに、該扉部を下部から支持する下ヒンジ装置の下本体側部材と下扉側部材との間の相対移動の長さが、前記上ヒンジ装置の上本体側部材と上扉側部材との間の相対移動の長さよりも大きいことを特徴とする冷却貯蔵庫。
【請求項１１】
請求項１又は２に記載のヒンジ装置において、
前記中間部材は、前記本体側部材に対し、固定ピンを介して揺動可能に支持される一方、前記扉側部材に対しては、揺動ピンを介して相対回動可能に支持されるリンク部材として構成され、
前記スライド部及び被スライド部は、前記本体側部材に対する前記扉側部材の軌道をガイドするスライド機構を構成することを特徴とするヒンジ装置。
【請求項１２】
請求項１１に記載のヒンジ装置において、
前記固定ピン及び前記揺動ピンの位置関係は、前記閉塞位置において、該揺動ピンが前記開口部に対して前記固定ピンよりも外側となるように構成されており、
前記スライド機構は、前記扉部が閉塞位置から開くとき、前記閉塞位置、及び該閉塞位置から所定角度回転した中間位置の範囲内では、前記扉側部材と前記リンク部材とが共に、前記固定ピンを主回転軸として前記本体側部材に対して回転するように案内する一方、前記中間位置及び前記開放位置までの範囲内では、前記固定ピンを回転軸とする回転を許容しつつ、前記扉側部材が前記揺動ピンを主回転軸として前記リンク部材に対して回転するように案内することを特徴とするヒンジ装置。
【請求項１３】
請求項１２に記載のヒンジ装置において、
前記スライド機構が、前記本体側部材に設けられたスライドピンと、前記扉側部材に設けられ、前記スライドピンが摺動可能に構成されたスライド溝又はスライド孔とからなり、
前記スライド溝又は前記スライド孔の形状は、前記扉部が前記閉塞位置から前記中間位置に移動する範囲内の曲率が、前記中間位置から前記開放位置に移動する範囲内の曲率よりも小さいことを特徴とするヒンジ装置。
【請求項１４】
請求項１１に記載のヒンジ装置において、
前記本体側部材には、前記揺動ピンが該本体側部材に対して相対移動可能に且つ、相対回動可能に挿し通される揺動ガイド孔が設けられ、
前記揺動ガイド孔は、前記庫本体の幅方向で見て、前記固定ピンよりも外方の領域にて、該固定ピンを中心とした前記リンク部材の回動を許容する長孔として形成され、
前記スライド機構は、前記扉部が閉塞位置から開くとき、前記閉塞位置、及び該閉塞位置から所定角度回転した中間位置の範囲内では、前記リンク部材が前記固定ピンを回転軸として前記本体側部材に対して扉部の回転方向とは逆回り方向に回転することにより、前記揺動ピンを前記揺動ガイド孔の後側の一端部から前側の他端部まで移動させると共に、当該他端部に向けて移動している最中の揺動ピンまわりに前記扉側部材が回転するように案内する一方、前記中間位置及び前記開放位置の範囲内では、前記前側の他端部まで移動した揺動ピンまわりに前記扉側部材が回転するように案内することを特徴とするヒンジ装置。
【請求項１５】
請求項１４に記載のヒンジ装置において、
前記スライド機構が、前記本体側部材に設けられたスライドピンと、前記扉側部材に設けられ、前記スライドピンが摺動可能に構成されたスライド溝又はスライド孔とからなり、
前記スライド溝又はスライド孔は、前記扉部が閉塞位置にあるとき、前記庫本体の幅方向内方に向けて湾曲するように構成されており、
前記スライド溝又は前記スライド孔の形状は、前記扉部が前記閉塞位置から前記中間位置に移動する範囲内では、前記庫本体の幅方向で見て前記揺動ピンよりも外方に且つ、該庫本体の前後方向で見て該揺動ピンよりも後方に位置する中心まわりの円弧状に形成される一方、前記中間位置から前記開放位置に移動する範囲内では、前記揺動ピンを中心とした、前記閉塞位置から前記中間位置に移動する範囲内よりも曲率の大きい円弧状に形成されることを特徴とするヒンジ装置。
【請求項１６】
請求項１３又は１５に記載のヒンジ装置において、
前記スライド溝又はスライド孔は、それぞれ長孔状に形成され、
前記スライド機構は、前記スライドピンと、前記スライド溝又はスライド孔の長手方向の端部とを互いに当接させることにより前記扉部を前記開放位置又は閉塞位置に保持するよう構成されていることを特徴とするヒンジ装置。
【請求項１７】
請求項１６に記載のヒンジ装置において、
前記スライドピンの先端には、前記スライド溝又はスライド孔からの抜脱を防止するための抜止部が形成されていることを特徴とするヒンジ装置。
【請求項１８】
請求項１１から１７のいずれか１つに記載のヒンジ装置において、
前記本体側部材及び前記扉側部材の間に介在して設けられ、前記揺動ピンに対して前記スライド機構よりも径方向外側に配置されたサブスライド機構をさらに備えることを特徴とするヒンジ装置。
【請求項１９】
前側に開口する開口部に連通する貯蔵室が設けられた庫本体と、前記開口部を開閉する扉部と、前記庫本体、及び前記扉部の上下の間に介在して設けられるヒンジ装置とを備える冷却貯蔵庫であって、
前記扉部が、前記開口部を左右両側から閉塞する右扉部及び左扉部からなる観音開き式のものであり、
前記ヒンジ装置は、前記庫本体に取り付けられる本体側部材と、前記本体側部材に固定ピンを介して回動可能に取り付けられた中間部材と、前記中間部材に揺動ピンを介して回動可能に設けられ、前記扉部に取り付けられる扉側部材と、前記本体側部材及び前記扉側部材の間に介在して設けられ、前記本体側部材に対する前記扉側部材の軌道をガイドするスライド機構とを備え、
前記固定ピン及び前記揺動ピンの位置関係は、前記扉部が前記開口部を閉塞する閉塞位置において、前記揺動ピンが前記開口部に対して前記固定ピンよりも外側となるように構成されており、
前記スライド機構は、前記閉塞位置及び前記扉部が前記閉塞位置から所定角度回転した中間位置の範囲内では、前記扉側部材が、前記中間部材と共に、前記固定ピンを主回転軸として前記本体側部材に対して回転するように案内する一方、前記中間位置及び前記扉部が前記開口部を解放する開放位置の範囲内では、前記スライド機構によって、前記固定ピンを回転軸とする前記中間部材の回転を許容しつつ、前記扉側部材が、前記揺動ピンを主回転軸として前記中間部材に対して回転するように案内することを特徴とする冷却貯蔵庫。
【請求項２０】
請求項１９に記載の冷却貯蔵庫において、
前記ヒンジ装置が、前記右扉部の上下端部と前記庫本体との間、及び前記左扉部の上下端部と前記庫本体との間に介在して設けられていることを特徴とする冷却貯蔵庫。
【請求項２１】
請求項２０に記載の冷却貯蔵庫において、
前記左右両扉部の後面に、前記庫本体の前面開口縁と密着するガスケットが設けられているとともに、前記左右両扉の互いに向かい合う側面にもガスケットが設けられていることを特徴とする冷却貯蔵庫。
【請求項２２】
前側に開口する開口部に連通する貯蔵室が設けられた庫本体と、前記開口部を開閉する扉部と、前記庫本体、及び前記扉部の上下の間に介在して設けられるヒンジ装置とを備える冷却貯蔵庫であって、
前記扉部が、前記開口部を左右両側から閉塞する右扉部及び左扉部からなる観音開き式のものであり、
前記ヒンジ装置は、前記庫本体に取り付けられる本体側部材と、前記本体側部材に固定ピンを介して回動可能に取り付けられた中間部材と、前記中間部材に揺動ピンを介して回動可能に設けられ、前記扉部に取り付けられる扉側部材と、前記本体側部材及び前記扉側部材の間に介在して設けられ、前記本体側部材に対する前記扉側部材の軌道をガイドするスライド機構とを備え、
前記本体側部材には、前記揺動ピンが該本体側部材に対して相対移動可能に且つ、相対回動可能に挿し通される揺動ガイド孔が設けられ、
前記揺動ガイド孔は、前記庫本体の幅方向で見て、前記固定ピンよりも外方の領域にて、該固定ピンを中心とした前記中間部材の回動を許容する長孔として形成され、
前記スライド機構は、前記扉部が閉塞位置から開くとき、前記閉塞位置、及び該閉塞位置から所定角度回転した中間位置の範囲内では、前記中間部材が前記固定ピンを回転軸として前記本体側部材に対して扉部の回転方向とは逆回り方向に回転することにより、前記揺動ピンを前記揺動ガイド孔の後側の一端部から前側の他端部まで移動させると共に、当該他端部に向けて移動している最中の揺動ピンまわりに前記扉側部材が回転するように案内する一方、前記中間位置から前記扉部が前記開口部を開放する開放位置までの範囲内では、前記前側の他端部に移動した揺動ピンまわりに前記扉側部材が回転するように案内することを特徴とする冷却貯蔵庫。
【請求項２３】
請求項２２に記載の冷却貯蔵庫において、
前記ヒンジ装置が、前記右扉部の上下端部と前記庫本体との間、及び前記左扉部の上下端部と前記庫本体との間に介在して設けられていることを特徴とする冷却貯蔵庫。
【請求項２４】
請求項２３に記載の冷却貯蔵庫において、
前記左右両扉部の後面に、前記庫本体の前面開口縁と密着するガスケットが設けられているとともに、前記左右両扉の互いに向かい合う側面にもガスケットが設けられていることを特徴とする冷却貯蔵庫。
【発明の詳細な説明】
【技術分野】
【０００１】
本発明は、冷蔵室又は冷凍室を有する冷却貯蔵庫、及びそうした冷却貯蔵庫に用いられるヒンジ装置に関するものである。
【背景技術】
【０００２】
大容量タイプ（例えば４００リットル以上）の冷却貯蔵庫（以下、冷蔵庫とも記載）においては、扉部を観音開きタイプ（両開き式）に構成すること、つまり、冷蔵庫本体に形成された冷蔵室等の貯蔵室の前面に設けられた開口部の中ほどを境にして、左右両側に一対の扉部を設け、これら左右の両扉部を、上下のヒンジ装置によって開閉可能に支持するように構成することが一般に行われている。
【０００３】
そうしたヒンジ装置において、扉部の開閉動に連動して、その扉部をスライド移動させたり、その扉部の回転軸を、異なる相対位置関係にある別の回転軸に切り替えたりすることで、扉部の回転の中心を移動させる構成が知られている。
【０００４】
特許文献１には、そうしたヒンジ装置の一例が記載されている。当該文献に記載のヒンジ装置は、ヒンジピンを有する本体側部材（庫本体に取り付けられるヒンジ板）と、このヒンジピンがスライド可能に挿通される長孔を有する扉側部材（扉に取り付けられるストッパー板）とを備えている。扉側部材板及び本体側部材には、それぞれ、ガイドピン及びカム面（カム部）が設けられていて、扉部が閉塞位置から開くとき、及び閉塞位置まで閉じるときに、このカム面に沿ってガイドピンが摺動することによって、長孔が延びる方向に沿って扉部（具体的には、扉部の回転の中心）をスライドさせる。扉側部材に設けた長孔は、扉部が閉塞位置にあるときには、前方乃至外方に向けて延びているため、この方向に沿ってヒンジピン、ひいては扉部をスライドさせることができるようになる。例えば、開放に連動して、ヒンジピンを扉部ごと外方にスライドさせることにより、扉部の戸先側の側面に設けたガスケットを、他方の扉部における向かい合う側面に設けたガスケットから離隔させたり、あるいは、開放に連動して、ヒンジピンを前方にスライドさせることにより、扉部の回転軸側の端部を冷蔵庫本体の角部から離隔させたりする。
【０００５】
また、特許文献１に係る扉側部材には、冷蔵庫本体と係合して扉部を閉塞位置に保持すると共に、扉部を閉塞位置から開くときには、カム機構の一部としても機能する別体のリップ部も備えられている。つまり、このヒンジ装置は、扉部を閉塞位置から開くときには、長孔と、ガイドピンと、リップ部とがそれぞれ摺接することで、扉部のスライドを案内するよう構成されている。
【０００６】
特許文献２には、ヒンジ装置の別例が記載されている。このヒンジ装置は、本体側部材（枠側ベース）と、中間部材（中間プレート）と、扉側部材（扉側プレート）とを備えており、扉部が閉塞位置にあるときには、各部材の側面が扉面と面一になるように重なり合った状態で配置される。本体側部材と中間部材とは第１回転軸で、中間部材と扉側部材とは第２回転軸で互いに回動自在に連結されており、本体側部材に対する中間部材及び扉側部材の動きを案内するようなガイド溝及び摺動部が設けられている。このガイド溝及び摺動部は、扉部が開くとき、中間部材と扉側部材とが重なった状態で第１回転軸を中心に一定角度まで一体的に回転したあと、扉側部材のみが第２回転軸を中心に単独で回転するように、各部材の動作を案内する。この構成では、第１回転軸と第２回転軸の相対位置関係に応じて、扉部の回転軸を、その開閉動に連動して切り替えることができる。
【先行技術文献】
【特許文献】
【０００７】
【特許文献１】特開２００４−３０１４５７号公報
【特許文献２】特開２００２−２５０１７１号公報
【発明の概要】
【発明が解決しようとする課題】
【０００８】
しかしながら、特許文献１のヒンジ装置では、扉部が開閉する途中でガイドピンとカム面との摺接が離れてしまい、扉部の開閉動作が不安定になってしまうという問題がある。つまり、ガイドピンとカム面との間の摺接が離れることで、ヒンジピンが長孔に沿ってスライド自在になってしまうから、使用者が扉部に与える力の加減次第では、庫本体に対して扉部ががたついてしまう。このようながたつきは、単に、使用者の開閉操作感覚を悪化させるばかりでなく、扉部が開閉するときに、その庫本体に対してスライド移動するタイミングや、扉部に設けたガスケットが移動するタイミング等にズレを招き、そうしたズレによって、扉部と庫本体との間の干渉を引き起こしたり、扉部のガスケットと、庫本体、又は他方の扉部に設けたガスケットとの間の干渉を引き起こしたりする虞がある。
【０００９】
一方で、特許文献２のヒンジ装置においては、ガイド溝や摺動部による開閉動作の案内は、扉部が所定の角度以上開いたときに、やはり離れてしまう。そうすると、扉部は、中間部材に対して第２回転軸まわりで回動自在になる一方で、中間部材ごと第１回転軸まわりにも回動自在になるから、開閉動作が不安定になってしまい、がたつきを招いてしまう。しかも、当該文献の構成では、扉部が所定の角度以上開いたときに、本体側部材から扉側部材が離れてしまう虞がある。具体的には、扉部が所定の角度以上開いたときに、第１又は第２回転軸が延びる方向からこのヒンジ装置を見たとき、本体側部材と扉側部材とが重なり合う領域を有しておらず、扉側部材は、中間部材によってのみ支持されることになる。そうした状態では、扉側部材にかかる全ての荷重が、板状に形成された中間部材に加わることになるから、冷蔵庫のように、扉部の後面側に、収容対象物を収容するためのポケットを設ける構成には、機械的強度という点では適さない。
【００１０】
本発明は、かかる点に鑑みてなされたものであり、その目的とするところは、冷蔵庫等の貯蔵庫における開口部を開閉する扉部のためのヒンジ装置において、扉部の開閉動に連動して、扉部の回転の中心を移動させつつも、がたつき等の不都合を招くことなく、安定して開閉動させることができるようなヒンジ装置を提供することにある。
【課題を解決するための手段】
【００１１】
前記目的を達成するために、本発明では、扉部を庫本体に対して、移動可能かつ、回動可能となるように直接的に支持させる一方、中間部材を介して間接的にも連結させるようにした上で、これらの連結を、扉部の開閉角度状況に拘らず、常時保持させるようにした。
【００１２】
第１の発明は、前側に開口する開口部に連通する貯蔵室が設けられた庫本体と、該開口部を開閉する少なくとも１枚の扉部との間に介在して設けられるヒンジ装置を対象とするものである。
【００１３】
このヒンジ装置は、前記扉部に取り付けられ、前記スライド部に対して相対移動可能に且つ相対回動可能に接触する被スライド部を有する扉側部材と、前記本体側部材又は扉側部材の一方に設けられ、本体側部材又は扉側部材の他方に対して接触する中間部材とを備えている。
【００１４】
前記スライド部と被スライド部との間の接触、及び扉側部材と本体側部材との間の前記中間部材を介した接触は、それぞれ、扉部が庫本体の開口部を閉じる閉塞位置にある場合、扉部が開閉途中の位置にある場合、及び扉部が開口部を開放した開放位置にある場合のうち、いずれの場合においても常時保持される。
【００１５】
そして、前記扉部は、その開閉動に連動して、前記スライド部と被スライド部との間の接触と、前記中間部材を介した接触とが協働することにより、該扉部の前記庫本体に対する回転の中心が該庫本体に対して所定の軌道に沿って移動するように案内されることを特徴とするものである。
【００１６】
ここで、「中間部材」は、本体側部材及び扉側部材のうちの一方に対して固定されていてもよいし、相対回動、又は相対移動可能に支持されていてもよい。同様に、本体側部材及び扉側部材のうちの他方と中間部材との間の「接触」とは、例えば、回転軸を介して相対回動可能に連結されていてもよし、当該他方に対してカムとして機能するよう摺接していてもよい。
【００１７】
「スライド部」及び「被スライド部」としては、扉側部材と本体側部材とを、少なくとも、相対移動に且つ相対回動可能に連結させるものを含むが、この相対回動の回転軸が、扉部の回転の中心である必要はない。例えば、中間部材と扉側部材とが、相対回動可能に接触していた場合、この接触部を扉部の回転の中心としてもよい。
【００１８】
また、扉部の回転の中心が庫本体に対して描く「軌道」としては、扉部のスライド等による連続的な軌道でもよいし、扉部の回転軸が開閉動の途中で切り替わることにより得られるような、離散的な軌道でもよい。
【００１９】
前記の発明によると、本体側部材に対する扉側部材の動きを、スライド部及び被スライド部を介した本体側部材と扉側部材との間の接触と、扉側部材と中間部材との間の接触との協働によって案内するようにした。つまり、扉側部材は、本体側部材に対して、相対移動可能に且つ、相対回動可能に支持されているが、当該支持と、扉側部材と中間部材との間の接触とが協働することにより、扉側部材の本体側部材に対する相対移動の大きさが、扉部の回動角度に基づいて定まるようになる。
【００２０】
しかも、扉側部材の被スライド部と本体側部材のスライド部との間の接触、及び扉側部材と中間部材との間の接触は、それぞれ常時保持される。よって、扉部が閉塞位置から開くとき、開閉途中の位置にあるとき、開放位置にあるとき、そして、開閉途中の位置乃至開放位置から閉塞位置に閉じるときのうち、いずれの場合においても、中間部材による案内が機能するという点で、扉部の開閉動をがたつき無く安定させる上で有利になる。
【００２１】
また、本体側部材に対する扉側部材の接触と、中間部材に対する扉側部材の接触とが協働することによって、扉部の回転軸の位置、及び開放角度を案内するようにしたから、扉部に加わる負荷を、少なくとも２か所の接触部に分散させることができるため、一軸の回転軸を有するヒンジ装置と比較すると、回転軸に加わる負荷を分散させることができるという点で、ヒンジ装置の強度を向上させる上で有利になる。
【００２２】
第２の発明は、前記第１の発明において、前記本体側部材、前記中間部材及び扉側部材は、前記扉部が閉塞位置にある場合、開閉途中の位置にある場合、及び開放位置にある場合のうち、いずれの場合においても、前記扉部の回転の中心が延びる方向から見て、互いに重なり合う領域を有することを特徴とするものである。
【００２３】
この発明によると、前記本体側部材、前記中間部材及び前記扉側部材は、扉部の開閉動にも拘わらず、常に、互いに重なり合う領域を有するため、扉側部材に加わる荷重を、この重なり合う領域を介して中間部材と扉側部材とに分散させることができるから、ヒンジ装置の機械的強度を増すことができる。
【００２４】
この発明は、特に、貯蔵室の大型化を図る上で有利になり、冷蔵庫のように、扉部の後面に、収容対象物を収容するためのポケットを設けるような物品に適用する場合には、取り分け有利になる。
【００２５】
また、ヒンジ装置の機械的強度を確保しつつも、前記本体側部材、前記中間部材及び前記扉側部材を薄くすることができるから、貯蔵室全体のコンパクト化を図る上でも有利になる。
【００２６】
第３の発明は、前記第１又は第２の発明において、前記扉側部材又は本体側部材の一方に設けられ、前記中間部材として構成されるカムと、前記扉側部材又は本体側部材の他方に設けられ、前記扉部が閉塞位置、開閉途中の位置、及び開放位置にあるときに、前記カムに常時摺接するカムフォロアと、前記スライド部及び被スライド部のうちの一方として構成されるスライドピンと、前記スライド部及び被スライド部のうちの他方として構成され、前記スライドピンが挿通される長孔とを備えている。
【００２７】
そして、前記カム及びカムフォロアは、前記扉部の開閉動に連動して、前記スライドピンを前記長孔の一端部から他端部まで移動させるカム機構として構成されていることを特徴とするものである。
【００２８】
この発明によると、前述したような効果が有効に発揮されるのに適した中間部材、並びにスライド部及び被スライド部が得られる。この場合、長孔が延びる方向に応じて、扉部の回転の中心が移動する方向が定まることになる。例えば、扉部が閉塞位置にあるときに、長孔が庫本体の前後方向に沿って延びるように構成されている場合、扉部は、開動に伴って、前後にスライドすることになる。
【００２９】
第４の発明は、前記第３の発明において、ヒンジ装置において、前記カムは、前記スライドピンの外周側に設けられた第１及び第２カム部を備え、前記カムフォロアは、前記第１及び第２カム部とそれぞれ摺接する第１及び第２フォロア部を備えている。
【００３０】
そして、前記カムはさらに、前記扉部が閉塞位置、開放位置及び開閉途中の位置にあるときに、前記第１フォロア部と第１カム部との摺接、前記長孔の内周面と前記スライドピンの外周面との摺接、及び前記第２フォロア部と第２カム部との摺接が、常時保持されるように構成されていることを特徴とするものである。
【００３１】
この発明によると、常時３か所で摺接するように構成されているから、つまり、扉側部材と本体側部材とが、長孔とスライドピンとを介して摺接する一方、扉側部材と中間部材とは、中間部材の一要素としての第１カム部と第１フォロア部との間で摺接してさらに、中間部材の他要素としての第２カム部と第２フォロア部との間で摺接するよう構成されているから、がたつきの発生を防止するにあたって有利となる。
【００３２】
さらに、カム及びカムフォロアが、それぞれ２か所ずつ設けられていることから、扉部の開閉に伴ってカム及びカムフォロアが受ける負荷を分散させることによって、カム機構の摩耗によるがたつきの発生を防止すると共に、カム及びカムフォロアの耐久性を向上させることができる。
【００３３】
第５の発明は、前記第４の発明において、前記第１カム部は、前記第１フォロア部と当接して前記扉部を閉塞位置に保持する第１位置決め面と、前記第１フォロア部と摺接して、前記スライドピンを前記長孔の一端部から他端部に移動させる第１カム面と、前記長孔の他端部にある前記スライドピンを中心とした円弧状の第１案内面とを備え、前記第１フォロア部は、前記扉部が閉塞位置から開くときに、前記第１位置決め面、前記第１カム面、及び前記第１案内面を順次連続して摺動するように構成されるものである。
【００３４】
さらに、前記第２カム部は、前記第２フォロア部と当接して扉部を閉塞位置に保持する第２位置決め面と、前記第１フォロア部と前記第１カム部とが摺動するときに、前記第２フォロア部と摺接して前記スライドピンを前記長孔の一端部から他端部に移動させる第２カム面と、前記長孔の他端部にある前記スライドピンを中心とした円弧状の第２案内面とを備え、前記第２フォロア部は、前記扉部が閉塞位置から開くときに、前記第２位置決め面、前記第２カム面、及び前記第２案内面を順次連続して摺動するように構成されていることを特徴とするものである。
【００３５】
この構成によると、カムとカムフォロアとの摺接が、扉部の位置決めとヒンジピンの移動とに寄与するように構成され、その上、それぞれの機能を担うカムの位置決め面とカム面とを、カムフォロアが順次連続して摺動するように構成されているから、扉部が閉塞位置から開くときに、扉部が開くとほぼ同時にスライドピンを移動させることができる。扉部が閉じるときも同様で、扉部が閉塞位置に位置決めされる直前にスライドピンを移動させることができる。このように構成することにより、扉部が閉塞位置から開いた直後、又は閉塞位置まで閉じる直前に、扉部をスライドさせることができるようになる。
【００３６】
また、第１及び第２フォロア部が、第１及び第２カム面をそれぞれ同時に通過するように構成されているから、ヒンジピンをスムーズに移動させることにより、開閉動作を快適にするために有利となる。
【００３７】
その上、扉部を閉塞位置に保持する位置決め面が２か所に設けられているから、扉部の位置決め精度を安定させることもできる。
【００３８】
第６の発明は、前記第３から第５のうちのいずれか１つの発明において、前記カムに、前記カムフォロアと当接して前記扉部を開放位置に保持する回り止め面が設けられていることを特徴とするものである。
【００３９】
この構成によると、カム面に回り止め面が設けられているため、比較的小容量の貯蔵室に用いる場合には、後述のストッパ部を設けずとも扉部を開放位置に保持することができるようになるから、ヒンジ装置、ひいては貯蔵室全体の小型軽量化に取り分け有利となる。
【００４０】
また、後述のストッパ部と併せて用いることによって、扉開放時に加わる負荷を、そのストッパ部とカム機構の回り止め面とに分散させることができるから、ヒンジ装置の機械的強度を向上させることにより、貯蔵室の大容量化を図る上でも有利になる。
【００４１】
第７の発明は、前記第３から第６のいずれか１つの発明において、前記扉側部材には、前記本体側部材と当接して前記扉部を開放位置に保持するストッパ部が設けられ、前記カム機構は、前記扉部が閉塞位置から開くときに、前記カムとカムフォロアとの摺接により前記スライドピンを前記長孔の一端部に移動させることによって、前記ストッパ部と前記本体側部材との当接箇所と、該スライドピンとの間を互いに離隔させるように構成されていることを特徴とするものである。
【００４２】
第７の発明によれば、カム機構は、扉部が開く際に、ストッパ部の当接箇所とスライドピンとを互いに離隔させるように構成されているから、扉部が開き状態に至るときに、扉側部材と本体側部材との当接によってストッパ部が受ける負荷を減少させて、ヒンジ装置の耐久性を向上させることができる。
【００４３】
第８の発明は、前側に開口する開口部に連通する貯蔵室が設けられた庫本体と、該庫本体に左右端部の少なくとも一方で上下のヒンジ装置を介して揺動可能に支持され、庫本体の開口部を開閉する少なくとも１枚の扉部とを備えた冷却貯蔵庫を対象とするものである。
【００４４】
前記扉部の後面には、該扉部が開口部を閉じたときに該開口部周りの庫本体の前面と扉部の後面との間をシールするガスケットと、該ガスケットよりも開口部の内側に位置する対向面とが設けられている。
【００４５】
上下のヒンジ装置の少なくとも一方は、前記庫本体に固定される本体側部材と、前記扉部に固定される扉側部材とを備えている。
【００４６】
前記本体側部材及び扉側部材のうちの一方にはスライドピンが設けられる一方、他方には、該スライドピンが相対回動可能かつ相対移動可能に挿通される長孔が設けられている。
【００４７】
さらに、前記本体側部材及び扉側部材の一方に設けられたカムと、本体側部材及び扉側部材の他方に設けられ、前記扉部が開口部を閉塞する閉塞位置、当該開口部を開放する開放位置及び開閉途中の位置にあるときに、前記カムに常時摺接するカムフォロアとを有するカム機構とを備えている。
【００４８】
そして、前記カム機構は、前記カムとカムフォロアとの摺接に伴い、前記扉部が閉塞位置から開くときに、前記スライドピンを長孔の一端部に移動させて前記ガスケットを前記庫本体の前面から離隔させて該庫本体の前面とのシールを解除する一方、該扉部が閉じるときに、該スライドピンを長孔の他端部に移動させてガスケットを該庫本体の前面に当接させて該庫本体の前面との間をシールすると共に、前記対向面を前記開口部周りの庫本体の前面に当接させ又は近接させて閉塞位置に位置決めするように構成されていることを特徴とするものである。
【００４９】
ところで、近年、冷蔵庫を含む冷却貯蔵庫には、大容量化を図る一方で、省エネルギー化を図る要求があり、それを実現するための方策の１つとして、断熱性能の向上による消費電力の低減が考えられている。
【００５０】
断熱性能を向上させるための方法として、冷却貯蔵庫の扉部の後面において、その周縁に沿って設けられるガスケットよりも貯蔵室開口部の内側に対向面（図６における１０３ｄに相当）を形成して、扉部が閉塞位置にあるときには、この開口部まわりの庫本体の前面と対向面とが対向状態で当接することによって、冷却貯蔵庫内部の貯蔵室とガスケットとの間を密閉するように構成することが考えられる。このように構成することによって、ガスケットを介した外部から庫内への熱の侵入、及び庫内から外部への冷気の流出を防ぐようにしており、断熱性をさらに向上させるためには、対向面の幅方向の寸法を可及的に大きくすることが望まれる。
【００５１】
対向面の幅方向の寸法を大きくするためには、ガスケットの取り付け位置を扉部の後面の外側に移動させることが考えられるが、そのように移動させた場合、一軸の回転軸を有するヒンジ装置では、扉部の開閉時に、扉部が開閉動する方向と逆方向にガスケットが回動してしまい、庫本体とガスケットとが干渉して巻き込まれてしまう虞があるため、こうした干渉を防ぐためには、扉部の支点（回転軸）よりも内側にガスケットを配設する必要があった。ゆえに、ガスケットの巻き込みを回避しつつ対向面の幅方向の寸法を増大させることは、必ずしも容易ではなかった。
【００５２】
こうした巻き込みを防ぐためには、特許文献１に記載されたようなヒンジ装置を適用することで、扉部が閉塞位置から開くとき（具体的には、扉部が閉塞位置から開く初動時）、及び開閉途中の位置から閉塞位置に閉じるときに（具体的には、扉部が閉塞位置まで閉じる直前）に扉部を前後に移動させて、扉部の後面に設けたガスケットを庫本体の開口部周縁から離隔又は密着させる構成が考えられる。しかしながら、前述のように、扉部が開閉する途中でガイドピンとカム面との間の摺接が離れてしまうから、例えば、扉部が開閉途中の位置から閉塞位置に向けて閉動するとき、ガイドピンとカム面とが再び摺接するタイミングにばらつきが生じてしまい、そのことで、庫本体から離隔させたガスケットが閉動途中の比較的早いタイミングで庫本体に接触してしまう虞がある。その状態で扉部がさらに閉動すると、ガスケットは、その接触した箇所から庫本体に干渉して巻き込まれてしまうことになる。
【００５３】
また、対向面と庫本体の開口部まわりの前面とを十分に当接させるためには、比較的高い位置決め精度が要求されるため、扉部ががたつくことで、その位置決め精度が不安定になってしまうのは、扉部後面のガスケットの移動に悪影響を及ぼすばかりでなく、前記対向面と前面との間に隙間が生じたり、当該前面に対して対向面が傾いてしまったりするような不都合を招く虞があるため、断熱性能を確保するという点でも不都合であった。
【００５４】
しかしながら、この第８の発明によると、カム機構のカムとカムフォロアとが、扉部が閉塞位置、開放位置、及び開閉途中の位置にあるときに、互いに常時摺接するように構成されているから、扉部後面のガスケットと庫本体とを所望且つ一定のタイミングで接離させることが可能となり、ガスケットの巻き込みを防ぐことができるようになる。
【００５５】
よって、ガスケットを扉部の支点（回転軸）よりも外側に取り付けることが可能となるから、対向面の幅方向の寸法を大に確保して断熱性能を向上させることが可能となる。
【００５６】
しかも、ガスケットのみならず、対向面の動きも案内するように構成されるため、そのことで、対向面を庫本体の開口部まわりの前面に当接させ、ひいては、冷却貯蔵庫の断熱性能を高める上で取り分け有利になる。
【００５７】
つまり、カムとカムフォロアとが常時摺接することによって、扉部後面のガスケットと庫本体とが接離するタイミングばかりでなく、扉部の開閉時の軌道すらも一定に保つことが可能となるから、開閉動が円滑なものとなって使用者に快適な開閉感覚を与えると共に、扉部の位置決め精度を安定させるために有利となる。
【００５８】
なお、本発明に係る庫本体の各構成要素の組立精度及び寸法公差、並びに扉部の開閉軌道等を考慮して、扉部が閉塞位置にあるとき、前記対向面が、庫本体の開口部周りの庫本体の前面に当接せずに近接するように構成してもよい。この場合、貯蔵室内の空間から扉部後面のガスケットに続く隙間部が構成され、この隙間部の幅及び長さに応じて、冷却貯蔵庫内部と外部との間の熱交換を防止する断熱性能が得られることになる。
【００５９】
第９の発明は、前記第８の発明において、前記カムは、前記スライドピンの外周側に設けられた第１及び第２カム部を備え、前記カムフォロアは、前記第１及び第２カム部とそれぞれ摺接する第１及び第２フォロア部を備え、前記扉部が閉塞位置、開放位置及び開閉途中の位置にあるときに、前記第１フォロア部と第１カム部との摺接、前記長孔の内周面と前記スライドピンの外周面との摺接、及び前記第２フォロア部と第２カム部との摺接が、常時保持されるように構成されていることを特徴とするものである。
【００６０】
このように構成することで、第８の発明にて述べた効果が有効に発揮されるような冷却貯蔵庫が得られる。
【００６１】
第１０の発明は、前記第９又は第８の発明において、前記扉部の上側に設けられる上ヒンジ装置は、前記庫本体に取り付けられる上本体側部材と、前記扉部に取り付けられる上扉側部材とを備えている。
【００６２】
そして、前記上本体側部材及び上扉側部材の一方には、スライドピンが設けられる一方、該上本体側部材及び上扉側部材の他方には、該スライドピンを相対回動可能に支持する円形孔、又は該スライドピンを相対回動可能にかつ、相対移動可能に支持する長孔が設けられ、前記扉部が開閉するときに、該扉部を下部から支持する下ヒンジ装置の下本体側部材と下扉側部材との間の相対移動の長さが、前記上ヒンジ装置の上本体側部材と上扉側部材との間の相対移動の長さよりも大きいことを特徴とするものである。
【００６３】
この発明によると、扉部が開く際に、扉部の下端側が上端側よりも前方に迫り出すように移動するため、扉部が斜め上方に向けて開くことになる。したがって、扉部の下側に配置される他の部材との間の干渉が防止され、扉部と他の部材との間の隙間を小さくすることができる。
【００６４】
この発明は、特に、複数の扉部を備えるよう構成される貯蔵庫、例えば、観音開き式扉部の下側に引き出し扉部が配設される冷却貯蔵庫に適用することで、そのデザイン性を向上させることができるようになる。
【００６５】
第１１の発明は、前記第１又は第２の発明において、前記中間部材は、前記本体側部材に対し固定ピンを介して揺動可能に支持される一方、前記扉側部材に対しては揺動ピンを介して相対回動可能に支持されるリンク部材として構成されている。
【００６６】
そして、前記スライド部及び被スライド部は、前記本体側部材に対する前記扉側部材の軌道をガイドするスライド機構を構成することを特徴とするものである。
【００６７】
この構成によると、前述したような効果が有効に発揮されるのに適した中間部材が得られる。
【００６８】
この場合、扉側部材は、固定ピンまわりのリンク部材の回動と、揺動ピンまわりのリンク部材に対する相対回動とが組み合わさることによって、本体側部材に対して動作する。一方、この扉側部材は、前述の通り、本体側部材のスライド部に対して、被スライド部を介して相対移動可能に且つ相対回動可能に支持されているから、リンク部材を介した動作と、スライド部及び被スライド部を介した動作とが、互いに干渉し合うことになる（一方の動作が他方の動作を規制するよう構成されている）。
【００６９】
前記スライド部及び被スライド部から成るスライド機構は、こうした干渉を利用して、
前記本体側部材に対する前記扉側部材の軌道をガイドするよう構成されているから、扉部の回転の中心は、そのガイドに従って、所定の軌道に沿って移動することになる。しかも、カム機構、及び長孔を用いた場合と同様に、スライド機構、及びリンク部材による接触は常時作用しているから、扉部の開閉動をがたつきなく、安定させることができる。
【００７０】
特に、扉側部材は、スライド機構を介した本体側部材からの接触と、揺動ピンを介したリンク部材からの接触とにより支持されているから、扉部の開閉動を安定させる上で有利になると共に、開閉時に扉部に加わる負荷を分散させることができるようになるため、ヒンジ装置の機械的強度を高める上でも有利になる。
【００７１】
第１２の発明は、前記第１１の発明において、前記固定ピン及び前記揺動ピンの位置関係は、前記閉塞位置において、該揺動ピンが前記開口部に対して前記固定ピンよりも外側となるように構成されている。
【００７２】
そして、前記スライド機構は、前記扉部が閉塞位置から開くとき、前記閉塞位置、及び該閉塞位置から所定角度回転した中間位置の範囲内では、前記扉側部材と該リンク部材とが共に、前記固定ピンを主回転軸として前記本体側部材に対して回転するように案内する一方、前記中間位置及び前記開放位置までの範囲内では、前記固定ピンを回転軸とする回転を許容しつつ、前記扉側部材が前記揺動ピンを主回転軸として前記リンク部材に対して回転するように案内することを特徴とするものである。
【００７３】
ここでいう“外側”とは、庫本体の前後方向に平行な“外方向”と“内方向”とに基づき定まるものであり、庫本体の前方から開口部に向かう方向が“内方向”に対応し、開口部から庫本体の前方に向かう方向が“外方向”に対応する。
【００７４】
ところで、近年、観音開きタイプの貯蔵庫においては、左右両扉部の互いに向かい合う側面（戸先側の側面）に、両扉部が閉塞位置にあるときに互いに密着するよう構成された一対のガスケットを追加して設けることで、貯蔵庫を密閉する場合がある。
【００７５】
そうした構成において、一軸の回転軸を有するヒンジ装置を適用した場合、その回転軸を庫本体の開口部から離れた位置に設けたときには、左右両扉部のいずれか一方を開閉させた際に、扉部の側面に設けたガスケットの開口部側の端部が、他方の扉部側に膨らむように回転してしまうため、この側面に設けた一対のガスケットが互いに干渉してしまい、扉部の開閉動作に支障を生じてしまう虞がある。
【００７６】
一方で、ヒンジ装置の回転軸を庫本体の開口部に近づけた位置に設けたときには、前記のような干渉を防止することができる。ところが、その構成では、扉部を閉塞位置から９０度以上開いた際に、扉部の回転軸側の端部（基端部）と、庫本体の角部とが当たってしまうため、この構成においてもなお、扉部の開閉動作に支障を生じてしまう虞がある。
【００７７】
そこで、特許文献１及び特許文献２に記載のヒンジ装置のように、扉部の開閉動に連動して、その回転の中心を、扉部ごとスライド移動させたり、切り替えたりするような構成を適用することが考えられるが、その場合、前述のように、扉部のがたつきが問題となる。
【００７８】
そして、この第１２の発明によると、扉部が閉塞位置及び所定の中間位置の間において、庫本体側に配置された固定ピンを回転軸として回転することにより、閉塞位置及び所定の中間位置の間で左右両扉の互いに対向する側面間に設けたガスケットの一部が、他方の扉側に近づく挙動をすることを防止することができる。よって、この側面間に設けた一対のガスケット同士が擦れる等により生じる開閉の支障を無くすことができる。また、扉が中間位置及び開放位置の間において、庫本体に対して固定ピンよりも外側（前側）に配置された揺動ピンを回転軸として回転することにより、扉部を庫本体から離して回転させることができる。これにより、扉部の支持側端部と、庫本体の角部とが干渉することを防ぐことができ、庫本体の開口部を十分に開くことができる。
【００７９】
こうした効果は、扉部の開閉動ががたつくことのないように構成することによって、より有利に発揮されることになる。
【００８０】
第１３の発明は、前記第１２の発明において、前記スライド機構が、前記本体側部材に設けられたスライドピンと、前記扉側部材に設けられ、前記スライドピンが摺動可能に構成されたスライド溝又はスライド孔とからなり、前記スライド溝又は前記スライド孔の形状は、前記扉部が前記閉塞位置から前記中間位置に移動する範囲内の曲率が、前記中間位置から前記開放位置に移動する範囲内の曲率よりも小さいことを特徴とするものである。
【００８１】
この発明によると、スライド機構をスライドピンとガイド溝又はガイド孔とにより構成しているので、スライド機構の構成を簡単にすることができる。また、ガイド溝又はガイド孔は、スライドピンをカムフォロアとするようなカム溝（カム孔）として形成される。つまり、ガイド溝又はガイド孔の形状において、扉部が閉塞位置から中間位置に移動する範囲内の曲率を、中間位置から開放位置に移動する範囲内の曲率よりも小さくすることで、扉側部材を回転させたときに、スライドピンとガイド溝又はガイド孔とに働く抵抗により、扉側部材と中間部材とを本体側部材に対して一体的に回転させることができる。これにより、扉側部材を、固定ピンを主回転軸として本体側部材に対して回転させることができる。
【００８２】
第１４の発明は、前記第１１の発明において、前記本体側部材には、前記揺動ピンが該本体側部材に対して相対移動可能に且つ、相対回動可能に挿し通される揺動ガイド孔が設けられ、前記揺動ガイド孔は、前記庫本体の幅方向で見て、前記固定ピンよりも外方の領域にて、該固定ピンを中心とした前記リンク部材の回動を許容する長孔として形成される。
【００８３】
そして、前記スライド機構は、前記扉部が閉塞位置から開くとき、前記閉塞位置、及び該閉塞位置から所定角度回転した中間位置の範囲内では、前記リンク部材が前記固定ピンを回転軸として前記本体側部材に対して扉部の回転方向とは逆回り方向に回転することにより、前記揺動ピンを前記揺動ガイド孔の後側の一端部から前側の他端部まで移動させると共に、当該他端部に向けて移動している最中の揺動ピンまわりに前記扉側部材が回転するように案内する一方、前記中間位置及び前記開放位置の範囲内では、前記前側の他端部まで移動した揺動ピンまわりに前記扉側部材が回転するように案内することを特徴とするものである。
【００８４】
また、第１５の発明は、前記第１４の発明において、前記スライド機構が、前記本体側部材に設けられたスライドピンと、前記扉側部材に設けられ、前記スライドピンが摺動可能に構成されたスライド溝又はスライド孔とからなり、前記スライド溝又はスライド孔は、前記扉部が閉塞位置にあるとき、前記庫本体の幅方向内方に向けて湾曲するよう構成される。
【００８５】
そして、前記スライド溝又は前記スライド孔の形状は、前記扉部が前記閉塞位置から前記中間位置に移動する範囲内では、前記庫本体の幅方向で見て前記揺動ピンよりも外方に且つ、該庫本体の前後方向で見て該揺動ピンよりも後方に位置する中心まわりの円弧状に形成される一方、前記中間位置から前記開放位置に移動する範囲内では、前記揺動ピンを中心とした、前記閉塞位置から前記中間位置に移動する範囲内よりも曲率の大きい円弧状に形成されることを特徴とするものである。
【００８６】
前記第１４及び第１５の発明によると、閉塞位置及び所定の中間位置までの間においては、扉側部材は、庫本体の前後方向で見て揺動ピンよりも後方に位置する（つまり、同方向でみて該揺動ピンよりも開口部に近接する）回転軸を中心とした弧を描くように、スライド溝又はスライド孔に沿ってスライド移動しつつ回転する。このように動作することで、閉塞位置から所定の中間位置までの間でガスケットの一部が、他方の扉側に近づく挙動をすることを防止することができる。これにより、左右両扉部の互いに向かい合う側面間に設けられた一対のガスケット同士が擦れる等により生じる開閉の支障を無くすことができる。しかも、この回転軸は、庫本体の幅方向で見て前記揺動ピンよりも外方に位置するから、扉側部材が、この回転軸まわりの円弧に沿ってスライド移動することで、扉部の後面に設けたガスケットは、庫本体の前面開口縁から離間するよう移動する（つまり、略前方に向けてスライドする）ことになる。このように移動することにより、扉部が閉塞位置から開くときに、このガスケットが扉部の回転により庫本体の前面開口縁に干渉して巻き込まれてしまうような事態を防止することができる。
【００８７】
また、扉部が中間位置及び開放位置までの間においては、前方に移動させた揺動ピンを回転軸として回転することにより、扉部を庫本体から離して回転させることができる。これにより、扉部の支持側端部と、庫本体の角部とが干渉することを防ぐことができ、庫本体の開口部を十分に開くことができる。
【００８８】
また、前記のようにリンク部材を配設することで、リンク部材の回転方向と扉側部材の回転方向とが逆になる。よって、扉部が大きく開いたときに、扉部と同方向に大きく回動したリンク部材が本体側部材から露出してしまうような事態を防止することができる。よって、ヒンジ装置のデザイン性を向上させることができる。
【００８９】
しかも、リンク部材の回転方向と扉部の回転方向とを変えることにより、リンク部材に設けられて扉側部材を支持する揺動ピンを、互いに異なる方向から支持するために有利になる。そうすることで、揺動ピンの位置決めを安定させて、扉部の開閉動や位置決めをがたつき無く安定させる上で有利になる。
【００９０】
第１６の発明は、前記第１３又は第１５の発明において、前記スライド溝又はスライド孔は、それぞれ長孔状に形成され、前記スライド機構は、前記スライドピンと、前記スライド溝又はスライド孔の長手方向の端部とを互いに当接させることにより前記扉部を前記開放位置又は閉塞位置に保持するよう構成されていることを特徴とするものである。
【００９１】
この発明によると、扉部が閉塞位置、又は開放位置に至るときに、スライドピンと、スライド溝又はスライド孔の端部とが当接するように構成することで、スライド機構を、扉部を開放位置又は閉塞位置に保持するためのストッパとして利用することもできるようになる。そうすることで、ヒンジ装置の機械的強度を向上させることができる。
【００９２】
第１７の発明は、前記第１６の発明において、スライドピンの先端には、前記スライド溝又はスライド孔からの抜脱を防止するための抜止部が形成されていることを特徴とするものである。
【００９３】
スライド機構をストッパとして利用する場合、スライドピンと、スライド溝又はスライド孔の端部とが当接した衝撃により、扉部全体が上下に移動して、スライド溝又はスライド孔からスライドピンが抜脱してしまう虞がある。そこで、スライドピンの先端に抜止部を形成することで、スライド機構をストッパとして利用する上で有利にすることができる。こうした抜止部は、例えば、スライド孔よりも大径の円板部として構成してもよい。
【００９４】
第１８の発明は、前記第１１から第１７の発明のうちのいずれか１つの発明において、前記本体側部材及び前記扉側部材の間に介在して設けられ、前記揺動ピンに対して前記スライド機構よりも径方向外側に配置されたサブスライド機構をさらに備えることを特徴とするものである。
【００９５】
この発明によると、これならば、扉側部材がスライドピンを回転軸として回転する際に生じるロッキングを防ぐことができる。
【００９６】
第１９の発明は、前側に開口する開口部に連通する貯蔵室が設けられた庫本体と、前記開口部を開閉する扉部と、前記庫本体、及び前記扉部の上下の間に介在して設けられるヒンジ装置とを備える冷却貯蔵庫を対象とするものである。
【００９７】
前記扉部が、前記開口部を左右両側から閉塞する右扉部及び左扉部からなる観音開き式のものであり、前記ヒンジ装置は、前記庫本体に取り付けられる本体側部材と、前記本体側部材に固定ピンを介して回動可能に取り付けられた中間部材と、前記中間部材に揺動ピンを介して回動可能に設けられ、前記扉部に取り付けられる扉側部材と、前記本体側部材及び前記扉側部材の間に介在して設けられ、前記本体側部材に対する前記扉側部材の軌道をガイドするスライド機構とを備えている。
【００９８】
前記固定ピン及び前記揺動ピンの位置関係は、前記扉部が前記開口部を閉塞する閉塞位置において、前記揺動ピンが前記開口部に対して前記固定ピンよりも外側となるように構成されており、前記閉塞位置及び前記扉部が前記閉塞位置から所定角度回転した中間位置の範囲内では、前記スライド機構によって、前記扉側部材が、前記中間部材と共に、前記固定ピンを主回転軸として前記本体側部材に対して回転し、前記中間位置及び前記扉部が前記開口部を解放する開放位置の範囲内では、前記スライド機構によって、前記固定ピンを回転軸とする前記中間部材の回転を許容しつつ、前記扉側部材が、前記揺動ピンを主回転軸として前記中間部材に対して回転するように構成されていることを特徴とするものである。
【００９９】
このような冷却貯蔵庫を構成することで、前述したような効果が有効に発揮されることになる。
【０１００】
第２０の発明は、前記第１９の発明において、前記ヒンジ装置が、前記右扉部の上下端部と前記庫本体との間、及び前記左扉部の上下端部と前記庫本体との間に介在して設けられていることを特徴とするものである。
【０１０１】
この発明によると、前述したような効果が有効に発揮されるような冷却貯蔵庫が得られる。
【０１０２】
第２１の発明は、前記第２０の発明において、前記左右両扉部の後面に、前記庫本体の前面開口縁と密着するガスケットが設けられているとともに、前記左右両扉の互いに向かい合う側面にもガスケットが設けられていることを特徴とするものである。
【０１０３】
このように構成することで、前述したような効果が有効に発揮されることになる。
【０１０４】
第２２の発明は、前側に開口する開口部に連通する貯蔵室が設けられた庫本体と、前記開口部を開閉する扉部と、前記庫本体、及び前記扉部の上下の間に介在して設けられるヒンジ装置とを備える冷却貯蔵庫を対象とするものである。
【０１０５】
前記扉部が、前記開口部を左右両側から閉塞する右扉部及び左扉部からなる観音開き式のものであり、前記ヒンジ装置は、前記庫本体に取り付けられる本体側部材と、前記本体側部材に固定ピンを介して回動可能に取り付けられた中間部材と、前記中間部材に揺動ピンを介して回動可能に設けられ、前記扉部に取り付けられる扉側部材と、前記本体側部材及び前記扉側部材の間に介在して設けられ、前記本体側部材に対する前記扉側部材の軌道をガイドするスライド機構とを備えている。
【０１０６】
そして、前記本体側部材には、前記揺動ピンが該本体側部材に対して相対移動可能に且つ、相対回動可能に挿し通される揺動ガイド孔が設けられ、前記揺動ガイド孔は、前記庫本体の幅方向で見て、前記固定ピンよりも外方の領域にて、該固定ピンを中心とした前記中間部材の回動を許容する長孔として形成される。
【０１０７】
さらに、前記スライド機構は、前記扉部が閉塞位置から開くとき、前記閉塞位置、及び該閉塞位置から所定角度回転した中間位置の範囲内では、前記中間部材が前記固定ピンを回転軸として前記本体側部材に対して扉部の回転方向とは逆回り方向に回転することにより、前記揺動ピンを前記揺動ガイド孔の後側の一端部から前側の他端部まで移動させると共に、当該他端部に向けて移動している最中の揺動ピンまわりに前記扉側部材が回転するように案内する一方、前記中間位置から前記扉部が前記開口部を開放する開放位置までの範囲内では、前記前側の他端部に移動した揺動ピンまわりに前記扉側部材が回転するように案内することを特徴とするものである。
【０１０８】
この発明によると、前述したような効果が有効に発揮される冷却貯蔵庫が得られる。
【０１０９】
第２３の発明は、前記第２２の発明において、前記ヒンジ装置が、前記右扉部の上下端部と前記庫本体との間、及び前記左扉部の上下端部と前記庫本体との間に介在して設けられていることを特徴とするものである。
【０１１０】
この発明によると、前述したような効果が有効に発揮される冷却貯蔵庫が得られる。
【０１１１】
第２４の発明は、前記第２３の発明において、前記左右両扉部の後面に、前記庫本体の前面開口縁と密着するガスケットが設けられているとともに、前記左右両扉の互いに向かい合う側面にもガスケットが設けられていることを特徴とするものである。
【０１１２】
この発明によると、前述したような効果が有効に発揮されることになる。
【発明の効果】
【０１１３】
本発明によると、扉部を庫本体に移動可能かつ回動可能となるように支持させる一方、中間部材を介して庫本体に接触させることにより、扉部の軌道を案内するようにしたから、扉部の開閉動をがたつき無く安定させることができる。
【図面の簡単な説明】
【０１１４】
【図１】図１は、第１の実施形態における冷蔵庫の外観を模式的に示す斜視図である。
【図２】図２（ａ）は、同実施形態のヒンジ装置を前面側から見て示す分解斜視図、図２（ｂ）は、後面側から見て示す分解斜視図である。
【図３】図３は、同実施形態のヒンジ装置を前面側から見て示す斜視図である。
【図４】図４は、同実施形態のヒンジ装置の軸部材に対する軸受部材の回動動作を示すものであり、（ａ）は軸受部材（扉部）の回動角度＝０度の閉塞位置を示す平面図、（ｂ）は軸受部材（扉部）の回動角度＝１５度の開閉途中の位置を示す平面図、（ｃ）は軸受部材（扉部）の回動角度＝４５度の開閉途中の位置を示す平面図、（ｄ）は軸受部材（扉部）の回動角度＝１３５度の開き状態を示す平面図である。
【図５】図５は、同実施形態のヒンジ装置のカムの構造を示す拡大平面図である。
【図６】図６は、左扉部が閉塞位置にあるときの左端側周縁部の構造を模式的に示す拡大断面図である。
【図７】図７は、同実施形態のヒンジ装置の軸部材が軸受部材に対して回動したときの、軸受部材と、軸部材と、カムとの間の相対位置関係を、軸部材の回転軸から見て示す図４相当図である。
【図８】図８は、第２の実施形態における冷却貯蔵庫の構成を示す模式図である。
【図９】図９は、同実施形態の閉塞位置におけるヒンジ装置の斜視図である。
【図１０】図１０は、同実施形態の開放位置におけるヒンジ装置の斜視図である。
【図１１】図１１は、同実施形態のヒンジ装置の構成を示す模式図である。
【図１２】図１２は、同実施形態のヒンジ装置を分離した状態を示す下方から見た斜視図である。
【図１３】図１３は、同実施形態の閉塞位置におけるヒンジ装置の平面図である。
【図１４】図１４は、同実施形態の中間位置におけるヒンジ装置の平面図である。
【図１５】図１５は、同実施形態の中間位置から開放位置に至る途中におけるヒンジ装置の平面図である。
【図１６】図１６は、同実施形態の開放位置におけるヒンジ装置の平面図である。
【図１７】図１７は、第３の実施形態における冷却貯蔵庫の構成を示す模式図である。
【図１８】図１８（ａ）は、同実施形態の閉塞位置におけるヒンジ装置を上方から見た斜視図であり、図１７（ｂ）は、同位置におけるヒンジ装置を下方から見た斜視図である。
【図１９】図１９（ａ）は、同実施形態の開放位置におけるヒンジ装置を上方から見た斜視図であり、図１９（ｂ）は、同位置におけるヒンジ装置を下方から見た斜視図である。
【図２０】図２０は、同実施形態のヒンジ装置を分離した状態を示す分解斜視図である。
【図２１】図２１は、同実施形態の閉塞位置におけるヒンジ装置の平面図である。
【図２２】図２２は、同実施形態の中間位置におけるヒンジ装置の平面図である。
【図２３】図２３は、同実施形態の中間位置から開放位置に至る途中におけるヒンジ装置の平面図である。
【図２４】図２４は、同実施形態の開放位置におけるヒンジ装置の平面図である。
【図２５】図２５は、同実施形態における冷却貯蔵庫の扉部が開くときの、その扉部の側面に設けたガスケットの開口部側の端部が移動する軌跡を概念的に示す断面図である。
【発明を実施するための形態】
【０１１５】
以下、本発明に係る、第１〜第３の実施形態を図面に基づいて詳細に説明する。以下の実施形態の説明は、いずれも、本質的に例示に過ぎず、本発明、その適用物或いはその用途を制限することを意図するものでは全くない。
＜第１の実施形態＞
以下で説明する第１の実施形態は、請求項１乃至１０に係るものであり、図１乃至７に示されている。
【０１１６】
図１は、本発明の第１の実施形態に係る冷蔵庫（冷却貯蔵庫）１０１を概略的に示している。説明の便宜上、図１における紙面左奥側から右手前側に向かう方向を左右方向（幅方向（具体的には、冷蔵庫１０１の幅方向））、紙面左手前側から右奥側に向かう方向を前後方向（冷蔵庫１０１の前後方向）、紙面上下方向を上下方向（高さ方向（具体的には、冷蔵庫１０１の高さ方向））と呼ぶこととする。図２乃至７においても、別途記載がない限りは、これらに相当する方向を各々左右方向（幅方向）、前後方向、上下方向（高さ方向）と呼ぶこととする。
【０１１７】
この実施形態に係る冷蔵庫１０１は、図１に示すように、上下方向に沿って縦長で略直方体状の外形を有するように形成されて、被貯蔵物を収納するための冷蔵庫本体（庫本体）１０２を備えている。この冷蔵庫本体１０２の内部には、各々が略直方体状の形状を有する第１貯蔵室１２１、第２貯蔵室１２２、第３貯蔵室１２３及び第４貯蔵室１２４が内壁部によって区画されている。これらの貯蔵室１２１〜１２４は、それぞれ冷蔵庫本体１０２の前面に設けられて、上方から下方にかけて１列に並ぶように開口する矩形状の第１開口部１２１ａ、第２開口部（図示せず）、第３開口部（図示せず）及び第４開口部（図示せず）に連通されている。例えば第１貯蔵室１２１（以下、単に貯蔵室１２１とも記載）には、該貯蔵室１２１を仕切るための仕切り板（図示せず）が複数枚設けられており、この仕切り板の上に被貯蔵物を並び置くことができるようになっている。
【０１１８】
これら第１乃至第４開口部のうち、最上部の第１開口部１２１ａの周縁には、図１に示すように、左右両端部で上下のヒンジ装置１０４，１０４，…によりそれぞれ揺動可能に支持されて第１開口部１２１ａを開閉するための両開き式（観音開き式）の左右扉部１０３，１０３（以下、左右両扉のうちの一方を、単に扉部１０３と記載する場合がある）が設けられている。
【０１１９】
なお、第２乃至第４貯蔵室１２２〜１２４には、上段引き出し扉部１０３ａ、中段引き出し扉部１０３ｂ及び下段引き出し扉部１０３ｃがそれぞれ設けられており、前後にスライドすることによって各開口部を開閉するようになっている。
【０１２０】
なお、上段引き出し扉部１０３ａ、中段引き出し扉部１０３ｂ及び下段引き出し扉部１０３ｃは、いずれも公知の構造を用いて構成されているため、その詳細についての説明は省略する。また、前記のような開口部、及びそれらに連通する貯蔵室の数、配置等は前記構成に限定されるものではない。少なくとも、上下のヒンジ装置１０４，１０４で支持される扉部によって開閉されるような開口部が１つ以上あればよく、通常の冷蔵庫等に使用される構成に適宜置き換えることもできる。
【０１２１】
この実施形態では、扉部の形状が左右で鏡像対称の関係にあるため、例えば右扉部１０３は常時閉じられているものとして、左扉部１０３、及びその周辺の構成についてを以下で説明するものとする。
【０１２２】
図１に示すように、前記第１開口部１２１ａ（以下、単に開口部１２１ａとも記載）を開閉するための扉部１０３は、例えば、樹脂製薄板と金属製薄板とにより区画される矩形板状の外形を有し、その内部には、発泡ウレタン等から成る断熱材が充填されている。
【０１２３】
前記扉部１０３の後面には、その周縁に沿って中空のチューブ状のガスケットＧ１が一体的に取り付けられており、この扉部１０３が開口部１２１ａを閉じたときに、該開口部１２１ａ周りの冷蔵庫本体１０２の前面と扉部１０３の後面との間をシールするようになっている。
【０１２４】
前記ガスケットＧ１は、例えば、ゴム、軟質樹脂等の可撓性を有する軟質材から形成されている。このガスケットＧ１には、該ガスケットＧ１を扉部１０３に取り付けるための嵌合突条部（図示せず）と、紐状のマグネットＧ２を挿し通して保持するための中空状のマグネットホルダ（図示せず）とが、それぞれガスケットＧ１の長手方向に沿って一体的に設けられている。
【０１２５】
また、前記扉部１０３の後面には、その周縁を成す４辺に沿って、前記嵌合突条部が嵌合可能な嵌合溝（図示せず）が設けられており、前記マグネットホルダにマグネットＧ２が挿し通されたガスケットＧ１が、その嵌合突条部を扉部１０３の嵌合溝に嵌め込むことによって扉部１０３に固定されている。
【０１２６】
図６は、前記扉部１０３が冷蔵庫本体１０２の開口部１２１ａを閉塞する閉じ状態（以下では、閉塞位置と記載する場合がある）にあるときの左端側周縁部の構造を模式的に示す断面図である。この図から示されるように、前記マグネットＧ２は、ガスケットＧ１の一側面側で保持されており、扉部１０３が閉じ状態にあるときに、開口部１２１ａ周りの冷蔵庫本体１０２の前面と近接するように配設されている。
【０１２７】
前記扉部１０３が閉じ状態にあるとき、開口部１２１ａ周りの冷蔵庫本体１０２の前面に配設された金属板（図示せず）がマグネットＧ２を吸着することによって、該前面とガスケットＧ１とが互いに密着し、開口部１２１ａ周りの冷蔵庫本体１０２の前面と扉部１０３の後面との間をシールするようになっている。
【０１２８】
後述するように、前記扉部１０３には、冷蔵庫本体１０２に固定された、スライド部の一形態としてのヒンジピン１５３が挿し通されている。扉部１０３が閉じ状態にあるとき、このヒンジピンの中心１５３ａは、図６中の＋で表した位置に位置し、このとき、マグネットＧ２によってガスケットＧ１と扉部１０３の後面とが密着する位置が、ヒンジピンの中心１５３ａの位置よりも、開口部１２１ａの幅方向外側（以下では、単に外側とも記載）になるように構成されている。
【０１２９】
なお、前記ガスケットＧ１、マグネットＧ２及びマグネットホルダの形態、並びにガスケットＧ１の取り付け構造及び取り付け位置は、前記構成に限定されるものではなく、通常の冷蔵庫等に使用される構成を適宜用いることができる。
【０１３０】
前記扉部１０３の後面には、ガスケットＧ１よりも開口部１２１ａの幅方向内側（以下では、単に内側とも記載）に位置し、扉部１０３の閉じ状態で開口部１２１ａから貯蔵室１２１内に嵌入される矩形枠状のドアポケット形成部Ｔが一体的に設けられている。このドアポケット形成部Ｔは、扉部１０３の後面に対して垂直に突出する突条としての４つのスロート部Ｔ１，Ｔ１，…を４辺として構成されている。このスロート部Ｔ１，Ｔ１，…のうち、扉部１０３の回転軸に沿って平行に延び、且つこの回転軸側に位置するスロート部Ｔ１（以下では、単にスロート部Ｔ１とも記載）と、このスロート部Ｔ１の外側に位置するガスケットＧ１（以下では、単にガスケットＧ１と記載）との間には、扉部１０３の後面に沿って平行に延びる対向面１０３ｄが設けられている。
【０１３１】
前記扉部１０３が閉じ状態にあるとき、前記対向面１０３ｄが、前記開口部１２１ａ周りの冷蔵庫本体１０２の前面に対向状態で当接すると共に、前記スロート部Ｔ１の外壁部のうち、扉部１０３の幅方向外向きに面するスロート側面部Ｔ２が、前記貯蔵室１２１の内壁面に対向状態で当接するように構成されている。これらの当接によって、貯蔵室１２１の内部とガスケットＧ１との間が密閉されるようになっている。
【０１３２】
このようにして構成される左扉部１０３が、冷蔵庫本体１０２の左端部で上下のヒンジ装置１０４，１０４により支持されている。以下では、この左扉部１０３の左端側下部を支持する下ヒンジ装置１０４を例にとり説明するが、上ヒンジ装置１０４もほぼ同様の構成である。上ヒンジ装置１０４と下ヒンジ装置１０４とで、本発明の技術的特徴に係るような構成の違いがあれば、その都度説明することにする。右扉部１０３を支持する上下ヒンジ装置１０４，１０４についても同様である。
【０１３３】
図３は、本実施形態における下ヒンジ装置１０４（以下では、単にヒンジ装置１０４とも記載）の構成を示す斜視図であり、図２（ａ），（ｂ）は、それぞれ、このヒンジ装置１０４を分解して前後から見て示す分解斜視図である。説明の便宜上、図２（ａ）及び図３における紙面左手前側から右奥側に向かう方向を左右方向（幅方向）、紙面右手前側から左奥側に向かう方向を前後方向、紙面上下方向を上下方向（高さ方向）と呼ぶことして、図２（ｂ）においても、これらに相当する方向を各々左右方向（幅方向）、前後方向、上下方向（高さ方向）と呼ぶこととする。すなわち、図２（ｂ）においては紙面右手前側から左奥側に向かう方向を左右方向（幅方向）、紙面右奥側から左手前側に向かう方向を前後方向とする。
【０１３４】
図３に示すように、本実施形態におけるヒンジ装置１０４は、冷蔵庫本体１０２に固定される、本体側部材としての軸部材１０５と、扉部１０３に固定される、扉側部材としての軸受部材１０７とを備えている。
【０１３５】
軸部材１０５は、ヒンジ板１５１と、スライド部としてのヒンジピン１５３とを含んで構成されていて、他方、軸受部材１０７には、このヒンジピン１５３が相対移動可能に且つ相対可能に接触するよう挿通される、被スライド部としての長孔１０７ｂが設けられている。
【０１３６】
図２に示すように、軸部材１０５にはさらに、後述するような構成を有す、中間部材としてのカム１０９が設けられており、軸受部材１０７には、このカム１０９に摺接するカムフォロア１０７ｄが設けられている。
【０１３７】
具体的には、図２（ａ），（ｂ）に示すように、前記ヒンジ板１５１は、長手方向が左右方向に沿って細長く延び、且つ短手方向が上下方向に沿って延びるように形成される、略矩形状の取付板１５１ｂと、この取付板１５１ｂに一体形成され、長手方向が取付板１５１ｂの左端側から右側に向けて延び、且つ短手方向が取付板１５１ｂの左端側の前面から手前側に向け面直に延びるように形成される、略矩形状のヒンジ板本体１５１ａとを備えている。
【０１３８】
前記取付板１５１ｂには、両端部と中央部との３か所にヒンジ板取付孔１５１ｄ，１５１ｄ，１５１ｄが穿孔されている。そして、このヒンジ板取付孔１５１ｄ，１５１ｄ，１５１ｄを介して開口部１２１ａ周りの冷蔵庫本体１０２の前面の左端側下部に穿孔されたネジ穴（図示せず）にボルト等をねじ込むことによって、ヒンジ板１５１が冷蔵庫本体１０２に対して一体的に取り付けられている。ヒンジ板１５１の冷蔵庫本体１０２への位置決めに関しては、ヒンジ板１５１にヒンジピン１５３を固定したときに、ヒンジピン１５３が垂直上方に向けて突出するように位置決めされている（上ヒンジ装置１０４の取り付けに際しては、上部ヒンジピン１５３が垂直下方に向けて突出するように位置決めされる）。なお、ヒンジ板取付孔１５１ｄ，１５１ｄ，１５１ｄの配置及び数等、並びに取付板１５１ｂの冷蔵庫本体１０２への取り付け方法、及び取付板１５１ｂの形態等については、前記の構成に限定されるものではない。
【０１３９】
また、前記ヒンジ板本体１５１ａの左前側上面には、例えば欠円状の断面形状を有するヒンジピン固定部１５１ｃが、上方に向けて垂直に突出するように一体的に形成されている（図２（ａ）参照）。
【０１４０】
前記ヒンジ板本体１５１ａの左側側部には、上下方向に沿って延びる凹条から成るストッパ受部１５１ｅが形成されている一方、右側側部には、上下方向に沿って延びる凹条から成るリップ受部１５１ｆが形成されている。なお、ストッパ受部１５１ｅ及びリップ受部１５１ｆは、それぞれ必ずしも形成される必要はなく、その形態等についても、前記の構成に限定されるものではない。
【０１４１】
前記ヒンジピン１５３は、略円筒状の中空部材として形成されており、その下端部には、外向きフランジ状の鍔部から成る、中間部材としてのカム１０９が一体的に設けられている。
【０１４２】
図５は、前記カム１０９の外形を示す拡大平面図である。図示されているように、このカム１０９は、ヒンジピン１５３の周囲を囲うように延設されていて、ヒンジピンの中心１５３ａが延びる方向から見て、非対称な形状を有する。この実施形態に係る記載において、“時計回り方向”とは、図５の紙面上方から紙面右方（図４におけるＸ軸を示す矢印が向かう方向）を経由して紙面下方（図４におけるＹ軸を示す矢印が向かう方向）まで回転させるような方向に対応する。
【０１４３】
その上、前記カム１０９は、鍔部の外周部を二分するように、第１カム部１９１と第２カム部１９２とに区画されており、第１カム部１９１の一端部と第２カム部１９２の一端部とが連続し、且つ第１カム部１９１の他端部と第２カム部１９２の他端部とが連続するように形成されている。
【０１４４】
カム１０９における第１カム部１９１は、図４の紙面において、ヒンジピンの中心１５３ａから見て、時計回り方向に沿って、略６時方向から１２時方向までの領域にかけて区画されていて、他方、第２カム部１９２は、同方向に沿って、１２時方向から略６時方向までの領域にかけて区画されている。
【０１４５】
さらに、前記第１カム部１９１と第２カム部１９２とが、それぞれ第１位置決め面１９１ａ、第１カム面１９１ｂ、第１案内面１９１ｃ及び第１回り止め面１９１ｄと、第２位置決め面１９２ａ、第２カム面１９２ｂ、第２案内面１９２ｃ及び第２回り止め面１９２ｄとに区画されている。
【０１４６】
具体的には、前記第１カム部１９１は、略平面状の第１位置決め面１９１ａと、この第１位置決め面１９１ａの一端部から時計回り方向に向けて略円弧を描くように延設され、カムノーズとして機能する第１カム面１９１ｂと、ヒンジピンの中心１５３ａから見て、この第１カム面１９１ｂの一端部から、時計回り方向に角度９０度の円弧を描くように延設され、ヒンジピンの中心１５３ａを中心とするカムベースとして機能するように形成される第１案内面１９１ｃと、この第１案内面１９１ｃの一端部から時計回り方向に向けて延設され、該第１案内面１９１ｃに対する接平面となるように延設される第１回り止め面１９１ｄとから構成されている。これに対して、前記第２カム部１９２は、前記第１回り止め面１９１ｄの一端部から時計回り方向に向けて延設され、上下方向に沿って延びる凹条としての第２位置決め面１９２ａと、この第２位置決め面１９２ａの一端部から時計回り方向に向け、ヒンジピンの中心１５３ａからの肉厚が徐々に薄くなるように延設される第２カム面１９２ｂと、ヒンジピンの中心１５３ａから見て、この第２カム面１９２ｂの一端部から時計回り方向に角度９０度の円弧を描くように延設され、ヒンジピンの中心１５３ａを中心とした、第１案内面１９１ｃよりも小径のカムベースとして機能するように形成される第２案内面１９２ｃと、この第２案内面１９２ｃの一端部から時計回り方向に向けて延設されると共に、前記第１位置決め面１９１ａの端部に連続し、且つ上下方向に沿って延びる凹条として形成される第２回り止め面１９２ｄとから構成されている。
【０１４７】
また、前記ヒンジピン１５３は、ヒンジピン固定部１５１ｃに外嵌される中心孔を有する欠円状の中空構造に形成されている（図２（ｂ）参照）。ヒンジピン固定部１５１ｃの断面形状とヒンジピン１５３の中心孔の断面形状とがそれぞれ欠円状となっているため、これら断面形状は、ヒンジピン１５３を固定する際の配置を案内する位置決めとして機能すると共に、ヒンジピン固定部１５１ｃに対するヒンジピン１５３の滑動を防ぐ回り止めとしても機能するようになっている。各断面の欠円部の配設に関しては、ヒンジピン固定部１５１ｃを介してヒンジピン１５３が取り付けられたヒンジ板１５１、すなわち軸部材１０５を冷蔵庫本体１０２に固定したとき、前記カム１０９の第１位置決め面１９１ａが冷蔵庫本体１０２の前側に面するように設けられている。なお、ヒンジピン固定部１５１ｃの断面形状、及びヒンジピン１５３の中心孔の断面形状は、前記形態に限定されるものではなく、適宜変更することもできる。
【０１４８】
前記ヒンジピン固定部１５１ｃにヒンジピン１５３を挿し通して外嵌させ、ヒンジピン１５３の底面部をヒンジピン固定部１５１ｃ周りのヒンジ板本体１５１ａの上面に当接させることによって、ヒンジ板１５１とヒンジピン１５３とが一体の軸部材１０５とされている。
【０１４９】
前記のように軸部材１０５が構成されている一方、この軸部材１０５と併せてヒンジ装置１０４を構成する軸受部材１０７には、図２（ａ），（ｂ）に示すように、水平面に沿って延びる矩形薄板状の軸受板部１０７ａと、この軸受板部１０７ａの長手方向右端側に穿孔され、略短手方向に沿って２か所に並ぶ軸受板取付孔１０７ｃ，１０７ｃと、軸受板部１０７ａの左端側中央部に設けられ、短手方向に沿って延びる２本の平行線の両端を半円で連結する長孔状に穿孔された長孔１０７ｂとが備えられている。
【０１５０】
前記扉部１０３の左端側下面にはネジ穴が（図示せず）が穿設されており、前記軸受板取付孔１０７ｃ，１０７ｃを介して扉部１０３のネジ穴にボルト等をねじ込むことによって、軸受部材１０７が扉部１０３に対して一体的に取り付けられている。軸受部材１０７の扉部１０３への位置決めに関しては、軸受板取付孔１０７ｃ，１０７ｃを有する一側を扉部１０３の幅方向中央部に向けた状態で、軸受部材１０７の長手方向と扉部１０３の幅方向とが平行になるように位置決めされている。したがって、この軸受部材１０７を扉部１０３に取り付けた状態では、扉部１０３が閉じ状態にあるとき、前記軸受板部１０７ａの長孔１０７ｂが、該扉部１０３の前後方向に沿って延びるように構成されている。（扉部１０３が閉じ状態にあるとき、前記軸受板部１０７ａの長孔１０７ｂが、該扉部１０３の前後方向に沿って延びるような姿勢に位置決めされるように構成されている）。なお、軸受板取付孔１０７ｃ，１０７ｃの配置及び数等、並びに軸受板部１０７ａの扉部１０３への取り付け方法等は、これに限定されるものではない。
【０１５１】
その上、前記扉部１０３の左端側下面には、軸受部材１０７をこの扉部１０３に取り付けた際に、前記長孔１０７ｂと連通する長穴（図示せず）が穿設されている。
【０１５２】
また、前記長孔１０７ｂは、その両端の半円部の内周面が前記ヒンジピン１５３の外周面に摺接するように穿設されている。ゆえに、長孔１０７ｂに前記ヒンジピン１５３を相対回動可能に挿し通すことができるようになっており、その上、長孔１０７ｂにヒンジピン１５３を挿通させた状態では、ヒンジピン１５３が長孔１０７ｂの短手方向に移動することもない。さらに、この状態では、ヒンジピン１５３は、長孔１０７ｂの両端部間を相対移動できるように構成されている。
【０１５３】
前記軸受部材１０７の長孔１０７ｂに軸部材１０５のヒンジピン１５３を挿通させて、軸受板部１０７ａの下面をヒンジピン１５３の鍔部の上面（つまり、カム１０９の上面）に当接させることによって、扉部１０３を冷蔵庫本体１０２に対して回動可能に、且つ移動可能に支持するヒンジ装置１０４が構成されている。
【０１５４】
さらに、前記長孔１０７ｂは、その長手方向手前側（扉部１０３の前面側）に位置する第１端部Ｐ１（図４（ａ）参照）とヒンジピン１５３とが当接した状態では、扉部１０３と冷蔵庫本体１０２とが近接して、扉部１０３が閉じたときに、ガスケットＧ１と開口部１２１ａ周りの冷蔵庫本体１０２の前面とが密着するように構成されている。また、長孔１０７ｂの、長手方向奥側（扉部１０３の後面側）に位置する第２端部Ｐ２（図４（ａ）参照）とヒンジピン１５３とが当接した状態では、扉部１０３と冷蔵庫本体１０２とが離隔して、扉部１０３が回動するときに、ガスケットＧ１と開口部１２１ａ周りの冷蔵庫本体１０２の前面とが干渉しないように構成されている。
【０１５５】
また、軸受板部１０７ａの長手方向に沿って延びる側縁部のうち、長孔１０７ｂの第１端部Ｐ１に近接する一方には、該側縁部を垂直下方に向けて折り曲げることによって矩形薄板状の第１フォロア部１０７ｅが形成されている。
【０１５６】
さらに、軸受板部１０７ａの長手方向に沿って延びる側縁部のうち、長孔１０７ｂの第２端部Ｐ２に近接する他方と、第２端部Ｐ２との間には、軸受板部１０７ａの下面から下方に向けて突設され、略円柱状の形状を有する第２フォロア部１０７ｆ（図２（ｂ）参照）が一体的に形成されている。
【０１５７】
前記第１及び第２フォロア部１０７ｅ，１０７ｆは、前記第１及び第２カム部１９１，１９２とそれぞれ常時摺接する一対のカムフォロア１０７ｄとして機能するように配設されており、このカムフォロア１０７ｄと、ヒンジピン１５３に設けられたカム１０９とから成るカム機構Ｃが、前記軸部材１０５に対する軸受部材１０７の動作、すなわち冷蔵庫本体１０２に対する扉部１０３の移動及び回動を常時案内するようになっている。
【０１５８】
図４（ａ）〜（ｄ）は、軸部材１０５に対して軸受部材１０７が回動する際のカム機構Ｃの振る舞いを示すものであり、図４（ａ）は扉部１０３が閉じ状態にあるとき（軸受部材１０７及び扉部１０３の回動角度＝０度）、図４（ｂ），（ｃ）は扉部１０３が開閉途中の状態（以下では、開閉途中の位置とも記載する場合がある）にあるとき（軸受部材１０７及び扉部１０３の回動角度＝１５度，４５度）、及び図４（ｄ）は扉部１０３が開き状態（以下では、開放位置とも記載する場合がある）にあるとき（軸受部材及び扉部１０３の回動角度＝１３５度）にそれぞれ対応する。扉部１０３と軸受部材１０７は一体的に回動するものであるから、下記の説明で、軸受部材１０７と扉部１０３とを適宜読み替えてもよい。また、前記回動角度は、図面上でＸ軸からＹ軸方向に向けて回転させたときに成す角度に相当する（図５についての説明と同様に、この回転方向を“時計回り方向”と記載）。また、図４においては、軸受部材１０７を構成する軸受板部１０７ａは省略されている。
【０１５９】
扉部１０３が閉じ状態にあるときには、図４（ａ）に示すように、前記ヒンジピン１５３を長孔１０７ｂの第１端部Ｐ１に当接させると共に、前記第１及び第２フォロア部１０７ｅ，１０７ｆを、第１及び第２位置決め面１９１ａ，１９２ａにそれぞれ当接させるように構成されている。第１及び第２フォロア部１０７ｅ，１０７ｆを、第１及び第２位置決め面１９１ａ，１９２ａにそれぞれ当接させることにより、軸受部材１０７（扉部１０３）の反時計回り方向への回動を規制すると共に、軸受部材１０７（扉部１０３）を所定の位置に位置決めするようになっている。
【０１６０】
しかも、第１及び第２フォロア部１０７ｅ，１０７ｆが、第１及び第２カム部１９１，１９２にそれぞれ摺接することによって、長孔１０７ｂの長手方向に沿った両側からカムフォロア１０７ｄがカム１０９を挟持するようにされているため、長孔１０７ｂの長手方向に沿ったヒンジピン１５３の移動を制限（規制）するようになっている。既に述べたように、長孔１０７ｂの短手方向に沿ったヒンジピン１５３の移動も制限（規制）するように形成されているため、長孔１０７ｂの長手及び短手方向に沿ったヒンジピン１５３の移動を、それぞれ制限（規制）する。これによって、長孔１０７ｂを介してヒンジピン１５３が挿し通された軸受部材１０７（扉部１０３）の、軸部材１０５（冷蔵庫本体１０２）に対するがたつきを防止するようになっている（以下で述べるように、閉じ状態以外の状態においても、軸部材１０５に対する軸受部材１０７の位置、特に、軸受部材１０７の回転軸（回転の中心）の位置が、がたつくことなく安定して案内されるよう構成されている）。
【０１６１】
ゆえに、軸受部材１０７（扉部１０３）が所定の位置にがたつきなく位置決めされる。この状態では、軸受部材１０７（扉部１０３）を時計回り方向に回動させてカム機構Ｃを機能させない限りは、その位置が保持されるようになっている。
【０１６２】
扉部１０３が閉じ状態から開くときには、図４（ｂ），（ｃ）に示すように、長孔１０７ｂ、第１フォロア部１０７ｅ及び第２フォロア部１０７ｆが、一体となって時計回り方向に回動されるようになっている。
【０１６３】
第１位置決め面１９１ａから連続する第１カム面１９１ｂは、ヒンジピンの中心１５３ａから見て第１位置決め面１９１ａ以上の肉厚を有するように形成されている。このことから、第１フォロア部１０７ｅを、第１位置決め面１９１ａに当接した状態から時計回り方向に回動させて、第１カム面１９１ｂに沿って摺動させることによって、長孔１０７ｂの長手方向に沿ってヒンジピン１５３を第１フォロア部１０７ｅから離隔させるようになっている。この離隔により、ヒンジピン１５３を、長孔１０７ｂの第１端部Ｐ１から第２端部Ｐ２側へ向けて移動させるようになっている。
【０１６４】
一方、第２位置決め面１９２ａから連続する第２カム面１９２ｂは、ヒンジピンの中心１５３ａから見て、時計回り方向に向かうに連れて肉厚が徐々に薄くなるように形成されている。このため、第２フォロア部１０７ｆを、第２位置決め面１９２ａに当接した状態から時計回り方向に回動させて、第２カム面１９２ｂに沿って摺動させることによって、長孔１０７ｂの長手方向に沿ってヒンジピン１５３を第２フォロア部１０７ｆに接近させるようになっている。この接近により、ヒンジピン１５３を、長孔１０７ｂの第１端部Ｐ１から第２端部Ｐ２側へ向けて移動させるようになっている。
【０１６５】
このとき、前記のように、長孔１０７ｂも、第１及び第２フォロア部１０７ｅ，１０７ｆと一体的に回動するようになっており、その上、第１及び第２フォロア部１０７ｅ，１０７ｆが、第１及び第２カム面１９１ｂ，１９２ｂとそれぞれ常時摺接するように構成されているから、扉部１０３が閉じ状態にあるときと同様の理由により、長孔１０７ｂの長手方向及び短手方向に沿ったヒンジピン１５３の移動を、それぞれ制限するようになっている。したがって、軸受部材１０７（扉部１０３）のがたつきが防止される。この状態では、軸受部材１０７（扉部１０３）を時計回り方向又は反時計回り方向のいずれかに向けて回動させてカム機構Ｃを機能させない限りは、長孔１０７ｂに対するヒンジピン１５３の位置が保持されるようになっている。
【０１６６】
また、既に述べたように、軸受部材１０７の長孔１０７ｂは、扉部１０３が閉じ状態にあるとき、前後方向に沿って延びるように配設されている上、このとき、ヒンジピン１５３は、扉部１０３と冷蔵庫本体１０２とが近接する第１端部Ｐ１に位置するように構成されているため、扉部１０３が閉じ状態から開くときに、ヒンジピン１５３が長孔１０７ｂの第１端部Ｐ１から第２端部Ｐ２に向かって移動することによって、軸受部材１０７（扉部１０３）が、軸部材１０５（冷蔵庫本体１０２）に対して前方に大きく移動するようになっている。
【０１６７】
この実施形態では、軸受部材１０７（扉部１０３）の回動角度＝４５度でヒンジピン１５３が第２端部Ｐ２に達するようになっているが、この構成に限定されるものではなく、カム１０９及びカムフォロア１０７ｄの配置及び形態等を変更することによって適宜変更することができる。
【０１６８】
ヒンジピン１５３が第２端部Ｐ２に達すると共に、図４（ｃ）に示すように、第１及び第２フォロア部１０７ｅ，１０７ｆが、第１及び第２案内面１９１ｃ，１９２ｃにそれぞれ同じタイミングで至るように構成されている。
【０１６９】
第１カム面１９１ｂから連続する第１案内面１９１ｃ、及び第２カム面１９２ｂから連続する第２案内面１９２ｃは、両者ともヒンジピンの中心１５３ａを中心とする９０度の円弧を描くように延設されているため、それぞれが軸受部材１０７（扉部１０３）の９０度の回動を案内するようになっている。このとき、ヒンジピン１５３は、第１フォロア部１０７ｅから離隔して第２フォロア部１０７ｆに接近した状態にあるため、第１フォロア部１０７ｅが摺動する第１案内面１９１ｃよりも、第２フォロア部１０７ｆが摺動する第２案内面１９２ｃの方が、ヒンジピンの中心１５３ａから見て小径となるように形成されている。
【０１７０】
このときも、第１及び第２フォロア部１０７ｅ，１０７ｆが、第１及び第２案内面１９１ｃ，１９２ｃとそれぞれ常時摺接するように構成されているから、扉部１０３が閉じ状態から開くときと同様の理由により、長孔１０７ｂに対するヒンジピン１５３の移動を制限するようになっており、軸受部材１０７（扉部１０３）のがたつきが防止されている。
【０１７１】
さらに、第１及び第２案内面１９１ｃ，１９２ｃは、両者ともヒンジピンの中心１５３ａから見て一定の肉厚を有するため、ヒンジピン１５３を長孔１０７ｂに対して移動させる機能を有しておらず、第１及び第２フォロア部１０７ｅ，１０７ｆが、第１及び第２案内面１９１ｃ，１９２ｃをそれぞれ摺動している間、ヒンジピン１５３の位置が第２端部Ｐ２に保持されるようになっている。
【０１７２】
扉部１０３が開き状態に達すると、図４（ｄ）に示すように、第１及び第２フォロア部１０７ｅ，１０７ｆを、それぞれ第１及び第２回り止め面１９１ｄ，１９２ｄに当接させるようになっている。この当接によって、軸受部材１０７（扉部１０３）の時計回り方向への回動を規制すると共に、軸受部材１０７（扉部１０３）を所定の位置に位置決めするようになっている。
【０１７３】
この実施形態では、軸受部材１０７（扉部１０３）の回動角度＝１３５度で開き状態に達するようになっているが、これに限定されるものではなく、カム１０９及びカムフォロア１０７ｄの配置及び形態等を変更することによって適宜変更することができる。
【０１７４】
このとき、第１及び第２フォロア部１０７ｅ，１０７ｆが、第１及び第２回り止め面１９１ｄ，１９２ｄにそれぞれ当接するように構成されているから、扉部１０３が閉じ状態にあるときと同様の理由により、軸受部材１０７（扉部１０３）が所定の位置にがたつきなく位置決めされる。この状態では、軸受部材１０７を反時計回り方向に回動させてカム機構Ｃを機能させない限りは、その位置が保持されるようになっている。
【０１７５】
また、上下方向に沿った前記第１及び第２フォロア部１０７ｅ，１０７ｆの高さは、例えば前記ヒンジピン１５３の鍔部の高さ以下となるように形成されている。ゆえに、軸部材１０５に軸受板部１０７ａを挿通させた状態では、第１及び第２フォロア部１０７ｅ，１０７ｆは、両者ともヒンジ板本体１５１ａと干渉せずに回動することになる。
【０１７６】
前記第１フォロア部１０７ｅには、下方に向けて矩形状の延設部が形成されており、この延設部の左右両端縁のうち、扉部１０３が閉じ状態にあるときに左側（扉部１０３の幅方向外側）に位置する一方は、ストッパ部１０７ｇとして構成されている。このストッパ部１０７ｇは、扉部１０３が最大まで開いた開き状態（本実施形態では軸受部材１０７の回動角度＝１３５度に相当）にあるとき、ヒンジ板本体１５１ａのストッパ受部１５１ｅと当接して回り止めとなるように形成されている。なお、このストッパ部１０７ｇは、前記の構成に限定されるものではなく、軸受部材１０７と軸部材１０５とが干渉することによって扉部１０３の回り止めとなるものであれば、その配置及び形態等を適宜変更することができる。
【０１７７】
また、前記扉部１０３の左端側下面にはフック状のリップ部（図示せず）が設けられており、扉部１０３が閉じ状態にあるときに、ヒンジ板本体１５１ａのリップ受部１５１ｆと係合して扉部１０３を閉じ状態に保持するように構成されている。なお、このリップ部及びリップ受部１５１ｆは、必ずしも設けられる必要はなく、その配置及び形態等についても適宜変更することができる。
【０１７８】
扉部１０３を上部から支持する上ヒンジ装置１０４の長孔１０７ｂの長手方向の長さは、ここまでに説明した下ヒンジ装置１０４の長孔１０７ｂの長手方向の長さよりも短く形成されている（図示せず）。長孔１０７ｂの寸法の変更に伴って上ヒンジ装置１０４のカム機構Ｃを構成する各部の寸法等も適宜変更されているが、下ヒンジ装置１０４のカム機構Ｃと同様の機能を果たすように構成されている。
【０１７９】
以上を踏まえ、本実施形態に係る冷蔵庫１０１の扉部１０３が開閉するときの全体の動作について以下で説明する。下記の説明においても、特段の事情がない限りは左扉部１０３（単に扉部１０３とも記載）、及びこの扉部１０３の下ヒンジ装置１０４（単にヒンジ装置１０４とも記載）の動作についてのみを説明することにする。
【０１８０】
前記扉部１０３が閉じ状態、すなわち、扉部１０３の回動角度が０度（図４（ａ）に相当）であるとき、第１及び第２フォロア部１０７ｅ，１０７ｆが、それぞれ第１及び第２位置決め面１９１ａ，１９２ａに当接することによって、軸受部材１０７の反時計回り方向への回動を規制して、扉部１０３を閉じ状態に位置決めして保持する。この状態では、ヒンジピン１５３は長孔１０７ｂの第１端部Ｐ１に当接しているため、軸部材１０５と軸受部材１０７とが近接し、ひいては扉部１０３の後面と開口部１２１ａ周りの冷蔵庫本体１０２の前面とが近接することになる。この近接により、図６に示すように、扉部１０３の後面に設けられたガスケットＧ１のマグネットＧ２と開口部１２１ａ周りの冷蔵庫本体１０２の前面の金属板とが互いに吸着してガスケットＧ１と該前面とが密着し、冷蔵庫本体１０２内部の貯蔵室１２１を外部からシールする。このとき、同じく図６に示すように、ガスケットＧ１の内側に設けられた前記対向面１０３ｄが、開口部１２１ａ周りの冷蔵庫本体１０２の前面に対向状態で当接すると共に、前記スロート部Ｔ１のスロート側面部Ｔ２が、貯蔵室１２１の内壁面に対向状態で当接することによって、貯蔵室１２１の内部とガスケットＧ１との間を密閉する。
【０１８１】
また、この状態では、扉部１０３の左端側下面に設けられたリップ部とヒンジ板本体１５１ａに設けられたリップ受部１５１ｆとが係合することによって、軸受部材１０７の時計回り方向への回動を防止して、扉部１０３を閉じ状態に保持する。
【０１８２】
前記扉部１０３が閉じ状態から開くとき（図４（ｂ）に相当）、前記リップ部とリップ受部１５１ｆとの係合を解除して扉部１０３が時計回り方向に回動することによって、第１及び第２フォロア部１０７ｅ，１０７ｆが、第１及び第２カム面１９１ｂ，１９２ｂをそれぞれ時計回り方向に摺動する。この摺動に伴って、ヒンジピン１５３が長孔１０７ｂの第１端部Ｐ１から第２端部Ｐ２に向かうように移動するため、軸部材１０５に対して軸受部材１０７が前方に迫り出すようにスライドし、ひいては扉部１０３の後面が、開口部１２１ａ周りの冷蔵庫本体１０２の前面から前方に離隔するように移動しながら時計回り方向に回動することになる。扉部１０３の離隔に伴って、ガスケットＧ１が開口部１２１ａ周りの冷蔵庫本体１０２の前面から離隔して、冷蔵庫本体１０２内部の貯蔵室１２１のシールを解除すると共に、扉部１０３の対向面１０３ｄ及びスロート側面部Ｔ２もそれぞれ冷蔵庫本体１０２から離隔して、貯蔵室１２１の内部とガスケットＧ１との間の密閉を解除する。
【０１８３】
なお、前記の様に、上ヒンジ装置１０４の長孔１０７ｂの長手方向の長さが、下ヒンジ装置１０４の長孔１０７ｂの長手方向の長さよりも短く形成されているから、扉部１０３が閉じ状態から開くとき、上ヒンジ装置１０４の軸受部材１０７よりも、下ヒンジ装置１０４の軸受部材１０７の方が前方に大きく迫り出すことになる。これにより、扉部１０３の回転軸は、上端側よりも下端側が前方に突出し、上下方向に対して傾斜するようになっている。
【０１８４】
本実施形態の構成では、前記の様な離隔動作は、扉部１０３の回動角度が０度から４５度に至るときに生じるものである。そして、回動角度が４５度に達したとき（図４（ｃ）に相当）、ヒンジピン１５３が長孔１０７ｂの第２端部Ｐ２に当接する。その後は、第１及び第２フォロア部１０７ｅ，１０７ｆが、第１及び第２案内面１９１ｃ，１９２ｃをそれぞれ時計回り方向に摺動することによって、扉部１０３は円弧を描くようにして回動する。
【０１８５】
なお、前記の様に、扉部１０３が閉じ状態から開くとき、その回転軸は、上端側よりも下端側が前方に突出し、上下方向に対して傾斜する。ゆえに、扉部１０３がその状態からさらに開くとき、この扉部１０３は、回転軸の傾斜の大きさに応じて水平面から斜め上方に向けて開くことになる。
【０１８６】
前記扉部１０３がさらに回動すると、回動角度が１３５度に達したとき（図４（ｄ）に相当）、第１フォロア部１０７ｅ、第２フォロア部１０７ｆ及びストッパ部１０７ｇが、第１回り止め面１９１ｄ、第２回り止め面１９２ｄ及びストッパ受部１５１ｅにそれぞれ当接することによって、軸受部材１０７の時計回り方向への回動を規制して、扉部１０３を開き状態に位置決めして保持する。
【０１８７】
前記扉部１０３が開き状態から閉じるときの動作も同様であり、扉部１０３が反時計回り方向に回動することによって、第１フォロア部１０７ｅが、第１案内面１９１ｃ及び第１カム面１９１ｂを反時計回り方向に順次摺動して第１位置決め面１９１ａに当接する一方、第２フォロア部１０７ｆが、第２案内面１９２ｃ及び第２カム面１９２ｂを、反時計回りに順次摺動して第２位置決め面１９２ａに当接し、リップ部とリップ受部１５１ｆとが係合する。
【０１８８】
特に、扉部１０３の回動角度が４５度から０度に至るときに、第１及び第２フォロア部１０７ｅ，１０７ｆが、それぞれ第１及び第２カム面１９１ｂ，１９２ｂに沿って摺動し、この摺動に伴って、ヒンジピン１５３が長孔１０７ｂの第２端部Ｐ２から第１端部Ｐ１に移動して当接する。この移動により、軸受部材１０７が後退して軸部材１０５に接近するようにスライドし、ひいては扉部１０３の後面が、開口部１２１ａ周りの冷蔵庫本体１０２の前面に接近するように移動しながら反時計回り方向に回動することになる。その上、この接近に伴って、扉部１０３の後面に設けられたガスケットＧ１のマグネットＧ２と、開口部１２１ａ周りの冷蔵庫本体１０２の前面の金属板とが互いに吸着し、ガスケットＧ１が冷蔵庫本体１０２の開口部１２１ａ周りの前面に密着して冷蔵庫本体１０２内部の貯蔵室１２１を外部から再びシールする。このとき、前記対向面１０３ｄと開口部１２１ａ周りの冷蔵庫本体１０２の前面とが当接すると共に、前記スロート側面部Ｔ２と前記貯蔵室１２１の内壁面とが当接することによって、貯蔵室１２１の内部とガスケットＧ１との間を再び密閉する。さらに、扉部１０３が開き状態から閉じて閉じ状態に至るときに、ヒンジピン１５３と、第１及び第２フォロア部１０７ｅ，１０７ｆとが、長孔１０７ｂの第１端部Ｐ１と、第１及び第２位置決め面１９１ａ，１９２ａとにそれぞれ再び当接することによって、扉部１０３が開く前と同じ位置に位置決めされることになる。
【０１８９】
また、カム１０９は、ヒンジ板本体１５１ａの上に載せた状態で固定される一方、軸受部材１０７は、軸受板部１０７ａをカム１０９の上面の上に載せた状態で且つ、カムフォロア１０７ｄをカム１０９に摺接させた状態で固定される。そして、図７（ａ）乃至（ｄ）に示すように、扉部１０３の回動角度に拘らず、軸部材１０５のヒンジ板本体１５１ａと、カム１０９と、軸受部材１０７の軸受板部１０７ａとは、ヒンジピンの中心１５３ａ（図７（ａ）乃至（ｄ）における、紙面上下方向）が延びる方向から見て、互いに重なり合う領域を有している。
【０１９０】
以上より、この第１の実施形態において、カム機構Ｃを成すカム１０９とカムフォロア１０７ｄとの間の摺接が、扉部１０３が閉じ状態、開き状態及び開閉途中の状態にあるときに、常時保持されるように構成されているから、同じく、常時保持されるよう構成された、長孔１０７ｂとヒンジピン１５３との間の接触と協働することにより、ガスケットＧ１と冷蔵庫本体１０２とを所望且つ一定のタイミングで接離させることが可能となるため、ガスケットＧ１の巻き込みを防ぐために有利となる。ゆえに、ガスケットＧ１を扉部１０３の支点（ヒンジピンの中心１５３ａ）よりも外側に設けることができるようになるから、ガスケットＧ１の内側に設けられる対向面１０３ｄを、扉部１０３の幅方向に沿って大きくとるためのスペースが確保され、この増大した対向面１０３ｄにより貯蔵室１２１内部とガスケットＧ１との間を十分に密閉して断熱性能を向上させることができる。
【０１９１】
しかも、ガスケットＧ１のみならず、対向面１０３ｄの動きも案内するように構成されているため、そのことで、対向面１０３ｄを冷蔵庫本体１０２の開口部１２１ａまわりの前面に当接させ、ひいては、冷蔵庫１０１の断熱性能を高める上で取り分け有利になる。
【０１９２】
つまり、カム１０９とカムフォロア１０７ｄとが常時摺接することによって、軸部材１０５に対する軸受部材１０７の動作が一定に保持される。これにより、ガスケットＧ１と冷蔵庫本体１０２とが接離するタイミングばかりでなく、扉部１０３の回転の中心（回転軸）の軌道、さらに、扉部１０３の開閉時の軌道すらも一定に保たれるから、開閉動が円滑なものとなって使用者に快適な開閉感覚を与えると共に、扉部１０３の位置決め精度を安定させるにあたって有利となる。これにより、対向面１０３ｄを開口部１２１ａ周りの冷蔵庫本体１０２の前面に十分な位置決め精度で当接させて密閉させることができるようになるから、所定の断熱性能を得るために有利となる。
【０１９３】
また、本実施形態に係るヒンジ装置１０４は、付勢部材を用いずに、カム１０９とカムフォロア１０７ｄとの摺接によって扉部１０３を閉じ状態に位置決めするように構成されているため、付勢部材の劣化による断熱性能の低下（扉部１０３の位置決め性能の低下）を招くこと無く、開口部１２１ａ周りの冷蔵庫本体１０２の前面に対する対向面１０３ｄの位置決め精度の保持、及び該位置決め精度の安定化に有利となる。
【０１９４】
また、第１フォロア部１０７ｅと第１カム部１９１との摺接、第２フォロア部１０７ｆと第２カム部１９２との摺接、及びヒンジピン１５３の外周面と長孔１０７ｂの内周面との摺接が、それぞれ常時保持されるように構成されているから、３か所における接触を保持することで、扉部１０３のがたつきを防止して、その開閉動を安定させる上で有利となる。
【０１９５】
特に、本実施形態では、第１及び第２フォロア部１０７ｅ，１０７ｆが、第１及び第２カム部１９１，１９２にそれぞれ摺接することによって、カムフォロア１０７ｄがカム１０９を挟み込むようにして摺動するから、ヒンジピン１５３の移動を規制するために特に有利となる。その上、ヒンジピン１５３の外周面と長孔１０７ｂの内周面との摺接が、ヒンジピン１５３の移動をさらに規制するため、カム１０９とカムフォロア１０７ｄとの摺接を保持することによって軸部材１０５に対する軸受部材１０７の動作を一定に保ち、ひいては扉部１０３のがたつきを防止するにあたってさらに有利となる。
【０１９６】
その上、第１及び第２フォロア部１０７ｅ，１０７ｆが、長孔１０７ｂの長手方向に沿った両端側にそれぞれ設けられているため、第１及び第２フォロア部１０７ｅ，１０７ｆがヒンジピン１５３を挟み込む方向と、長孔１０７ｂの短手方向の内周面にヒンジピン１５３の外周面が当接する方向とが略垂直になるから、カム１０９とカムフォロア１０７ｄとの摺接を常時保持することによって軸部材１０５に対する軸受部材１０７の動作を一定に保持し、ひいては扉部１０３のがたつきを防止するために一層有利な構成となっている。
【０１９７】
第１カム部１９１と第１フォロア部１０７ｅとの摺接、及び第２カム部１９２と第２フォロア部１０７ｆとの摺接が、扉部１０３の位置決めとヒンジピン１５３の移動とにそれぞれ寄与するように構成され、その上、各機能を担うカム１０９の第１位置決め面１９１ａ及び第１カム面１９１ｂ、並びに第２位置決め面１９２ａ及び第２カム面１９２ｂを、第１及び第２フォロア部１０７ｅ，１０７ｆがそれぞれ順次連続して摺動するように構成されているから、扉部１０３が閉じ状態から開くときに、扉部１０３が開くとほぼ同時にヒンジピン１５３を移動させて、ガスケットＧ１を速やかに離隔させることができる。扉部１０３が閉じるときも同様で、扉部１０３が閉じ状態に位置決めされる直前にヒンジピン１５３を移動させて、ガスケットＧ１を冷蔵庫本体１０２に密着させることができる。このように構成することにより、扉部１０３の開閉に伴うガスケットＧ１の巻き込みを防ぐためにさらに有利となる。
【０１９８】
また、第１及び第２フォロア部１０７ｅ，１０７ｆが、第１及び第２カム面１９１ｂ，１９２ｂをそれぞれ同時に通過するように構成されているから、ヒンジピン１５３の移動をスムーズに案内し、開閉動作を快適にするために有利となる。
【０１９９】
さらに、カム１０９とカムフォロア１０７ｄが、第１及び第２カム部１９１，１９２と、第１及び第２フォロア部１０７ｅ，１０７ｆとして、それぞれ二分されているから、扉部１０３の開閉に伴ってカム１０９とカムフォロア１０７ｄとが受ける負荷を分散させることによって、摩耗を抑止してがたつきの発生を防止すると共に、カム１０９及びカムフォロア１０７ｄの耐久性を向上させることができる。
【０２００】
その上、扉部１０３を閉じ状態に位置決めするための位置決め面が２か所に設けられていること、すなわち、第１位置決め面１９１ａと第２位置決め面１９２ａとによって扉部１０３を閉じ状態に保持するように構成されているから、扉部１０３の位置決め精度を安定させるために有利となる。
【０２０１】
また、扉部１０３を開き状態に位置決めするための回り止め面についても、第１及び第２カム部１９１，１９２に、第１及び第２回り止め面１９１ｄ，１９２ｄがそれぞれ設けられているから、扉部１０３が開き状態に至るときにカム１０９及びカムフォロア１０７ｄが受ける負荷を分散させることによって、扉部１０３の回り止めとしてのカム１０９及びカムフォロア１０７ｄの耐久性を向上させることができる。
【０２０２】
さらに、前記第１及び第２回り止め面１９１ｄ，１９２ｄと、ストッパ部１０７ｇ及びストッパ受部１５１ｅとを併せて用いることによって負荷がさらに分散し、耐久性を一層向上させることができる。こうした構成は、本発明を大容量の冷蔵庫に適用するにあたって取り分け有利となる。
【０２０３】
カム機構Ｃは、扉部１０３が閉じ状態から開くときに、ストッパ部１０７ｇとヒンジピン１５３とを互いに離隔させるように構成されているため、扉部１０３が開き状態に至るときにストッパ部１０７ｇとストッパ受部１５１ｅとの当接によってストッパ部１０７ｇが受ける負荷を減少させて、ヒンジ装置１０４の耐久性を向上させることができる。
【０２０４】
さらに、下ヒンジ装置１０４の長孔１０７ｂの長手方向の長さが、上ヒンジ装置１０４の長孔１０７ｂの長手方向の長さよりも大きくなるように構成されているから、扉部１０３が開くとき、下側の軸受部材１０７が上側の軸受部材１０７よりも前方に迫り出すように移動する。このため、扉部１０３が水平面から斜め上方に向けて開くことになる。したがって、扉部１０３の下側に配置される上段引き出し扉部１０３ａとの干渉が防止され、扉部１０３と上段引き出し扉部１０３ａとの扉間隙間を小さくすることができる。これによって、例えば、冷蔵庫１０１のデザイン性を向上させることができるようになる。
【０２０５】
また、軸部材１０５のヒンジ板本体１５１ａ、カム１０９及び軸受部材１０７の軸受板部１０７ａは、扉部１０３が閉じ状態にあるとき、開閉途中の状態にあるとき、及び開き状態にあるとき、いずれの場合においても、扉部１０３の回転の中心に平行なヒンジピンの中心１５３ａが延びる方向から見て、互いに重なり合う領域を有しているから、ヒンジ装置１０４全体の構造的強度を向上させることができる。よって、ヒンジ装置１０４の機械的強度を確保しつつも、ヒンジ板本体１５１ａ、カム１０９及び軸受板部１０７ａをそれぞれ薄く形成することができる。
【０２０６】
また、図７（ａ）〜（ｄ）からも見て取れるように、扉部１０３を長孔１０７ｂが延びる方向に沿って、前方に大きくスライドさせることにより、扉部１０３を閉塞位置から９０度以上回転させた場合であっても、扉部１０３（軸受部材１０７）の支持側端部と、冷蔵庫本体１０２の角部（軸部材１０５の取付板１５１ｂ）とを干渉させること無く、開放位置（１３５度）まで開くことができる。こうした干渉を防ぐことがで、この第１の実施形態は、冷蔵庫１０１の開口部１２１ａを十分に開放する上で有利な構成にもなっている。
（第１の実施形態に係る変形例）
扉部１０３に設けられる対向面１０３ｄ及びスロート側面部Ｔ２の配置及び形態等は、断熱性能の向上に寄与するものであれば、適宜変更することができる。例えば、本発明に係る冷蔵庫１０１の各構成要素の組立精度及び寸法公差、並びに扉部１０３の開閉軌道等を考慮して、扉部１０３が閉じ状態にあるとき、前記対向面１０３ｄ及びスロート側面部Ｔ２が、開口部１２１ａ周りの冷蔵庫本体１０２の前面、及び貯蔵室１２１の内壁面にそれぞれ可及的に近接するように構成してもよい。この場合、貯蔵室１２１の内部からガスケットＧ１に続く隙間部が構成され、この隙間部の幅及び長さに応じて、ガスケットＧ１を介した外部から貯蔵室１２１内部への熱の侵入、及び貯蔵室１２１内部から外部への冷気の流出を防ぐことができる。
【０２０７】
また、本実施形態において設けられる前記ドアポケット形成部Ｔは、扉部１０３の後面に収容スペースを設けるために使用されるものでもある。この構成に代えて、ドアポケット形成部Ｔ、すなわちスロート部Ｔ１，Ｔ１，…を設けずに、対向面１０３ｄのみを配設するように構成することもできる。また、ドアポケット形成部Ｔを設ける場合であっても、扉部１０３が閉じ状態にあるときに、このドアポケット形成部Ｔを構成するスロート部Ｔ１のスロート側面部Ｔ２を貯蔵室１２１の内壁面に当接又は近接させずに、対向面１０３ｄのみが開口部１２１ａ周りの冷蔵庫本体１０２の前面に当接又は近接するように構成することもできる。
【０２０８】
本実施形態では、前記第１開口部１２１ａを開閉する扉部１０３が、両開き式のものとなっているが、この構成に限定されるものではない。例えば、第１開口部１２１ａの左右端部の一方が軸支された片開き式扉部であってもよい。
【０２０９】
また、前記第２乃至第４開口部を開閉する扉部が、いずれも引き出し式のものとなっているが、この構成に限定されるものではない。例えば、第１開口部１２１ａを開閉する扉部を公知の構成として、第２乃至第４開口部のいずれかを本発明に係るヒンジ構造を有する両開き又は片開き式の扉部としてもよい。
【０２１０】
本実施形態では、軸部材１０５が冷蔵庫本体１０２に固定され、軸受部材１０７が扉部１０３に固定されているが、必ずしもこの構成に限定されるものではなく、軸部材１０５が扉部１０３に固定され、軸受部材１０７が冷蔵庫本体１０２に固定されるような構成でもよい。
【０２１１】
また、軸受部材１０７にカム１０９を備え、軸部材１０５にカムフォロア１０７ｄを備えるような構成でもよい。
【０２１２】
本実施形態では、前記カム１０９が第１及び第２カム部１９１，１９２に区画され、カムフォロア１０７ｄも第１及び第２カム部１９１，１９２とそれぞれ摺接する第１及び第２フォロア部１０７ｅ，１０７ｆに二分されているが、必ずしもこの構成に限定されるものではなく、カム１０９及びカムフォロア１０７ｄの配置及び形態等も含め、適宜変更することができる。
【０２１３】
また、ヒンジピン１５３、及びヒンジピン１５３が挿し通される長孔１０７ｂの配置及び形態なども、本実施形態のものに限定されるわけではなく、適宜変更することができる。例えば、長孔１０７ｂの長手方向の長さ及び方向を変更することによって、扉部１０３の開閉時の軌道を調整することができる。
【０２１４】
さらに、前記の第１及び第２カム部１９１，１９２は、第１フォロア部１０７ｅが順次連続して摺動する第１位置決め面１９１ａ、第１カム面１９１ｂ及び第１案内面１９１ｃと、第２フォロア部１０７ｆが順次連続して摺動する第２位置決め面１９２ａ、第２カム面１９２ｂ及び第２案内面１９２ｃとにそれぞれ区画されているが、必ずしもこの構成に限定されるものではなく、各面の配置及び形態等も含め、適宜変更することができる。例えば、第１カム面１９１ｂの曲率及び大きさなどを変更することによって、冷蔵庫本体１０２からガスケットＧ１が離隔するタイミング、又は離隔の速さ等を変更することができる。
【０２１５】
本実施形態では、前記第１及び第２カム部１９１，１９２に、第１及び第２回り止め面１９１ｄ，１９２ｄがそれぞれ設けられているが、必ずしもこの構成に限定されるものではなく、例えば、第１及び第２カム部１９１，１９２の一方に回り止め面を形成する構成でもよいし、回り止め面を形成せずに、ストッパ部１０７ｇ及びストッパ受部１５１ｅのみを用いるような構成でもよい。
【０２１６】
また、小容量の冷蔵庫に用いる場合、本実施形態に記載の構成に代え、ストッパ部１０７ｇ及びストッパ受部１５１ｅを設けずに、第１及び第２回り止め面１９１ｄ，１９２ｄの少なくとも一方に形成された回り止め面のみを用いることもできる。この場合、ヒンジ装置１０４、ひいては冷蔵庫１０１の小型軽量化に有利となる。これら第１及び第２回り止め面１９１ｄ，１９２ｄの配置及び形態等は、本実施形態に記載のものに限定されるのではなく、適宜変更することができる。
【０２１７】
また、ストッパ部１０７ｇとストッパ受部１５１ｅとを設ける場合であっても、必ずしも、カム機構Ｃがストッパ部１０７ｇとヒンジピン１５３とを互いに離隔させるように構成する必要はない。
【０２１８】
前記上ヒンジ装置１０４として、公知のヒンジ装置を使用することもできる。この場合、上ヒンジ装置１０４には、ヒンジピン１５３を有する上側軸部材１０５と、このヒンジピン１５３を相対回動可能に支持する円形孔を有する上側軸受部材１０７とが最低限必要とされ、上側軸部材１０５及び上側軸受部材１０７のうち、一方が冷蔵庫本体１０２に固定され、他方が扉部１０３に固定されることになる。この構成であっても、扉部１０３が斜め上方に向けて開くことになるため、扉部１０３の下側に配置される上段引き出し扉部１０３ａとの干渉が防止され、扉部１０３と上段引き出し扉部１０３ａとの扉間隙間を小さくすることができる。
【０２１９】
また、上下ヒンジ装置１０４，１０４を両者ともに本発明に係るものとした場合であっても、前記下ヒンジ装置１０４の長孔１０７ｂの長手方向の長さが、上ヒンジ装置１０４の長孔１０７ｂの長手方向の長さよりも長くなる構成は必須ではない。上ヒンジ装置１０４のみを本発明に係るヒンジ装置１０４としてもよい。
【０２２０】
また、長孔１０７ｂの延びる方向、及びカム機構Ｃの構成を変更することで、扉部１０３が閉じ状態から開くときに、その扉部１０３を、冷蔵庫本体１０２の幅方向外方に向けて、大きくスライド移動させることができるようになる。その場合、左右両扉部１０３，１０３の、互いに向かい合う側面（戸先側の側面）に一対のガスケットを設ける構成を併せて用いることによって、扉部１０３が開くときに、この一対のガスケットＧ４が互いに干渉することなく、離間するように移動させることができるようになる。
【０２２１】
本発明は、冷蔵庫のみに適用可能なものではなく、上下のヒンジ装置を介して左右端部の少なくとも一方が揺動可能に支持される貯蔵庫などに用いることもできる。
＜第２の実施形態＞
以下で説明する第２の実施形態は、請求項１〜２、請求項１１〜１３、及び請求項１６〜２１に記載の発明に係るものであり、図８〜図１６に示されている。以下では、第２の実施形態に係る冷蔵庫２０１の主要構成について説明するが、周知のものを採用している部分、及び第１の実施形態と共通の構成については、説明しない場合がある。
【０２２２】
本実施形態に係る冷蔵庫２０１は、図８に示すように、少なくとも上部に冷蔵室２２１を有する冷蔵庫本体２０２と、冷蔵室２２１の前面に設けられた前面開口部（以下では、単に開口部とも記載）２２１ａを閉塞する扉部２０３と、冷蔵庫本体２０２及び扉部２０３の間に介在して設けられるヒンジ装置２０４とを備えている。
【０２２３】
前記扉部２０３は、開口部２２１ａを左右両側から閉塞する左扉部２３１及び右扉部２３２からなる観音開き式のものである。そして、左右両扉部２３１、２３２の冷蔵庫本体２０２側の面である後面には、扉部２０３が開口部２２１ａを閉塞する閉塞位置Ｑ１において、冷蔵庫本体２０２の前面開口縁と密着するガスケットＧ３が設けられている。また、左右両扉部２３１、２３２の互いに向かい合う側面（各扉における、戸先側の側面）には、相互に密着する一対のガスケットＧ４を設けられている。
【０２２４】
また、ヒンジ装置２０４は、図８に示すように、左扉部２３１の上下左端部と冷蔵庫本体２０２との間、及び右扉部２３２の上下右端部と冷蔵庫本体２０２との間に介在して設けられ、扉部２０３を閉塞位置Ｑ１及び前記開口部２２１ａを開放する開放位置Ｑ３との間で回転自在に支持するものである（ここでの“回転”とは、一方向への円運動ばかりでなく、正逆両方向への円運動を含むものとする。こうした両方向への円運動を、以下では“回動”とも記載する。）。なお、開放位置Ｑ３とは、各扉部２３１、２３２が前記閉塞位置Ｑ１から例えば１３５°回転した位置である。具体的にヒンジ装置２０４は、左右両扉部２３１、２３２の下面と当該下面に対向する冷蔵庫本体２０２の上面との間、及び左右両扉部２３１、２３２の上面と当該上面に対向する冷蔵庫本体２０２の下面との間に介在して設けられている。
【０２２５】
各扉部２３１、２３２の上下端部に設けられたヒンジ装置２０４は、この実施形態では、同一構成のものである。具体的にヒンジ装置２０４は、図９〜図１６に示すように、冷蔵庫本体２０２に取り付けられる本体側部材２０５と、本体側部材２０５に固定ピン２０６を介して回転可能に設けられた、中間部材としてのリンク部材２０９と、リンク部材２０９に揺動ピン２０８を介して回転可能に設けられ、扉部２０３に取り付けられる扉側部材２０７と、本体側部材２０５及び扉側部材２０７の間に介在して設けられ、本体側部材２０５に対する扉側部材２０７の軌道（動作）をガイドするスライド機構Ｒとを備えている。
【０２２６】
以下、各部２０５〜２０９、及びスライド機構Ｒ等について詳細に説明する。
【０２２７】
本体側部材２０５は、冷蔵庫本体２０２に例えばねじ等によって固定される例えば亜鉛合金（ＺＤＣ２）製の取付プレート２５１と、当該取付プレート２５１に着脱可能に設けられた例えば本体側プレート２５２とを有している。本体側プレート２５２は、特に図１１に示すように、リンク部材２０９を移動可能に収容する収容空間２５２ｓを有しており、当該収容空間２５２ｓを形成する平板状をなす例えば冷間圧延鋼板（ＳＰＣＣ）製の第１プレート要素２５２ｅ及び平板状をなす例えばポリアセタール（ＰＯＭ）等の樹脂製の第２プレート要素２５２ｆを有している。これらプレート２５２ｅ、２５２ｆの間に、固定ピン２０６によりリンク部材２０９が回転自在に設けられている。なお、第１プレート要素２５２ｅ及び第２プレート要素２５２ｆを連結する部分は、例えば亜鉛合金（ＺＤＣ２）を用いて形成されている。
【０２２８】
固定ピン２０６は、図１０、図１５及び図１６等に示すように、本体側プレート２５２の庫本体側部分に設けられている。本実施形態の本体側プレート２５２は、平面視において概略扇形状（中心角度略９０°）をなすものであり、固定ピン２０６は、本体側プレート２５２の中心角部近傍に設けられている。
【０２２９】
リンク部材２０９は、図９及び図１１等に示すように、平板状をなすものであり、前記本体側プレート２５２に設けられた固定ピン２０６によって本体側プレート２５２に対してスライド回転可能に連結されている。このリンク部材２０９は、閉塞位置Ｑ１において、本体側プレート２５２の収容空間２５２ｓ内に収容された状態となり、開放位置Ｑ３において、本体側プレート２５２の収容空間２５２ｓから一部が出て、残りの部分が収容空間２５２ｓ内に収容された状態となる。
【０２３０】
また、リンク部材２０９には、扉側部材２０７を回転可能に連結する揺動ピン２０８が設けられている。この揺動ピン２０８は、リンク部材２０９における庫本体側とは反対側部分に設けられている（つまり、リンク部材における、冷蔵庫本体２０２から見て前側の部分）。この第２の実施形態に係る記載においては、冷蔵庫本体２０２側の反対側方向、及び当該反対側を、それぞれ、外方向、及び外側と記載することにする。
【０２３１】
前記固定ピン２０６との位置関係で言うと、少なくとも閉塞位置Ｑ１において、揺動ピン２０８は、冷蔵庫本体２０２側（開口部２２１ａ）に対して、固定ピン２０６よりも外側となるように構成されている。本実施形態では、閉塞位置Ｑ１から開放位置Ｑ３に至るまで、前面開口部２２１ａに対して、固定ピン２０６よりも外側（冷蔵庫本体２０２から見て前側）となるように構成されている（図１３〜図１６参照）。
【０２３２】
本実施形態のリンク部材２０９は、閉塞位置Ｑ１において本体側プレート２５２の収容空間２５２ｓに収容されているため、前記揺動ピン２０８は、本体側プレート２５２の上面（扉部側の面）よりも更に上部に延びている（図１１参照）。なお、本体側プレート２５２の第２プレート要素２５２ｆには、揺動ピン２０８の移動を妨げないように、切り欠き部（不図示）が形成されている。
【０２３３】
扉側部材２０７は、図９等に示すように、平板状をなす例えばステンレス鋼（ＳＵＳ）又は浸炭焼き入れがされた例えば冷間圧延鋼板（ＳＰＣＣ）製のものであり、前記リンク部材２０９に設けられた揺動ピン２０８によってリンク部材２０９に対してスライド回転可能に連結されている。
【０２３４】
ここで、本実施形態では、図１２に示すように、本体側部材２０５の取付プレート２５１と、本体側部材２０５の本体側プレート２５２、リンク部材２０９及び扉側部材２０７とが分離可能に構成されている。つまり、本体側部材２０５の取付プレート２５１と本体側プレート２５２とが分離可能に構成されている。具体的には、取付プレート２５１における庫本体側とは反対側の面に設定された搭載面に本体側プレート２５２が分離可能に搭載できるように構成されており、取付プレート２５１又は本体側プレート２５２の一方に設けられた凸部Ｘ１と、取付プレート２５１又は本体側プレート２５２の他方に設けられた凹部Ｘ２とから構成される。本実施形態では、本体側プレート２５２の第１プレート要素２５２ｅに凸部Ｘ１が設けられており、取付プレート２５１に前記凸部Ｘ１が嵌る凹部（貫通孔）Ｘ２が設けられている。このように、本体側部材２０５の取付プレート２５１と、本体側部材２０５の本体側プレート２５２、リンク部材２０９及び扉側部材２０７とが分離可能に構成されているので、冷蔵庫本体２０２に対する扉部２０３の取り付けを容易にすることができる。
【０２３５】
スライド機構Ｒは、図１３〜図１６に示すように、閉塞位置Ｑ１及び扉部２０３が閉塞位置Ｑ１から所定角度回転した中間位置Ｑ２の範囲内では、扉側部材２０７が、リンク部材２０９とともに、固定ピン２０６を主回転軸として本体側部材２０５に対して回転し、中間位置Ｑ２及び扉部２０３が前面開口部２２１ａを開放する開放位置Ｑ３の範囲内では、固定ピン２０６を回転軸とするリンク部材２０９の回転を許容しつつ、扉側部材２０７が、揺動ピン２０８を主回転軸としてリンク部材２０９に対して回転するように構成されている。
【０２３６】
ここで、中間位置Ｑ２は、左右両扉部２３１、２３２の互いに向かい合う側面に設けられた一対のガスケットＧ４が互いに離間する位置であり、本実施形態では、扉部２０３が閉塞位置Ｑ１（回転角度０°）から例えば４°回転した位置（回転角度４°）である。
【０２３７】
具体的にスライド機構Ｒは、図１３〜図１６等に示すように、本体側部材２０５に設けられたガイドピン（スライドピン）２５３と、扉側部材２０７に設けられ、ガイドピン２５３が摺動可能に構成されたガイド孔（スライド孔）２０７ｂとから構成される。
【０２３８】
本体側部材２０５に設けられた、スライド部としてのガイドピン２５３と、扉側部材２０７に取り付けられた、被スライド部としてのガイド孔２０７ｂとが互いに接触することで、扉側部材２０７は、本体側部材２０５に対し、ガイド孔２０７ｂが延びる方向に沿って相対移動可能に且つ、ガイド孔２０７ｂまわりで相対回動可能に支持されることになる。
【０２３９】
ガイドピン２５３は、本体側プレート２５２における第１プレート要素２５２ｅに固定されるとともに、第２プレート要素２５２ｆを貫通して、第２プレート要素２５２ｆの上面（扉部側の面）から上部に延び設けられている。このようにガイドピン２５３が第１プレート要素２５２ｅに固定されているため、リンク部材２０９には、ガイドピン２５３が摺動可能に構成された揺動スライド孔２０９ｈが形成されている（図１０参照）。この揺動スライド孔２０９ｈによってリンク部材２０９もガイドピン２５３によって、軌道がガイドされる。
【０２４０】
つまり、スライド機構Ｒは、扉部２０３が固定ピン２０６及び揺動ピン２０８まわりで回動自在に構成されていたとしても（２軸構成であったとしても）、扉部の開閉移動に伴って、固定ピン２０６まわりのリンク部材２０９の回動角度と、揺動ピン２０８まわりの扉側部材２０７の回動角度とが、それぞれ、スライド機構Ｒの構成に基づいて、所定の規則に従って変化するように案内する。そうすることで、扉側部材２０７乃至扉部２０３の開閉動が安定される。
【０２４１】
具体的に、ガイド孔２０７ｂは、その形状において、扉部が閉塞位置Ｑ１から中間位置Ｑ２に移動する範囲内の曲率が、中間位置Ｑ２から開放位置Ｑ３に移動する範囲内の曲率よりも小さくなるように構成されている（図１２等参照）。つまり、閉塞位置Ｑ１から中間位置Ｑ２に移動する範囲内においては、扉側部材２０７がリンク部材２０９とともに、固定ピン２０６を主回転軸として回転するように構成されている。一方で、中間位置Ｑ２から開放位置Ｑ３に移動する範囲内においては、リンク部材２０９が固定ピン２０６を回転軸として回転しつつ、扉側部材２０７が揺動ピン２０８を主回転軸として回転するように構成されている。そして、開放位置Ｑ３まで移動すると、ガイド孔２０７ｂの終端部がガイドピン２５３に当接して、扉部のそれ以上の開放移動を規制するように構成されている。
【０２４２】
扉部が開放位置Ｑ３又は中間位置Ｑ２から閉塞位置Ｑ１まで移動するときにも、スライド機構Ｒは、同様の作用効果を果たす。つまり、開放位置Ｑ３から中間位置Ｑ２までの範囲内では、リンク部材２０９が固定ピン２０６を回転軸として回転しつつ、扉側部材２０７が揺動ピン２０８を主回転軸として回転するように構成されており、さらに扉部が閉じて、中間位置Ｑ２から閉塞位置Ｑ１まで移動するときには、扉側部材２０７がリンク部材２０９とともに、固定ピン２０６を主回転軸として回転するように構成されている。そして閉塞位置Ｑ１まで移動すると、ガイド孔２０７ｂの始端部がガイドピン２５３に当接して、扉部のそれ以上の閉塞移動を規制するように構成されている。
【０２４３】
また、ガイドピン２５３は、その基端部が第１プレート要素２５２ｅに固定されている一方、その先端部には、ガイド孔２０７ｂからの抜脱を防止するための抜止部２５３ａが設けられている。この抜止部２５３ａは、ガイド孔２０７ｂの幅よりも大径の円板状に形成されている。
【０２４４】
また、図１６に示すように、開放位置Ｑ３において、本体側部材２０５の一部、リンク部材２０９の一部及び扉側部材２０７の一部が、揺動ピン２０８（固定ピン２０６）の軸方向において互いに重なり合っている。このように、開放位置Ｑ３において、本体側部材２０５、リンク部材２０９及び扉側部材２０７が互いに重なり合っている部分を有するので、ヒンジ装置２０４の開放位置Ｑ３における機械的強度を増すことができる。その結果、ヒンジ装置２０４の機械的強度を確保しつつも、本体側部材２０５、リンク部材２０９及び扉側部材２０７を薄くすることができる。
【０２４５】
しかも、図１３〜１５から見て取れるように、閉塞位置Ｑ１、中間位置Ｑ２においてもなお、本体側部材２０５の一部、リンク部材２０９の一部及び扉側部材２０７の一部が、揺動ピン２０８（固定ピン２０６）の軸方向において互いに重なり合っている。ゆえに、開放位置Ｑ３ばかりでなく、閉塞位置Ｑ１、中間位置Ｑ２においても、前述のように、ヒンジ装置２０４の機械的強度を確保することができるようになる。
【０２４６】
さらに本実施形態では、図９等に示すように、前記構成において移動途中でスライド機構Ｒで生じ得る扉側部材２０７のロッキングを防止するためのサブスライド機構Ｓが設けられている。
【０２４７】
このサブスライド機構Ｓは、本体側部材２０５及び扉側部材２０７の間に介在して設けられ、揺動ピン２０８に対してスライド機構Ｒよりも径方向外側に配置されている。具体的にサブスライド機構Ｓは、扉側部材２０７の下面に設けられたサブガイドピンＳ１と、当該サブガイドピンＳ１が摺動可能に構成されたサブガイド溝Ｓ２とからなる。サブガイド溝Ｓ２は、本体側部材２０５の本体側プレート２５２における第２プレート要素２５２ｆの上面に形成されている。本実施形態のサブスライド機構Ｓは、扉部２０３が閉塞位置Ｑ１から中間位置Ｑ２を通過して所定角度回転した状態までガイドするように構成されている。
【０２４８】
次にこのように構成した扉部２０３の開閉動作について説明する。
【０２４９】
まず、左右両扉部２３１、２３２が閉じた状態で、左右両扉部２３１、２３２の後面に設けられたガスケットＧ３及び左右両扉部２３１、２３２の互いに向かい合う側面に設けられた一対のガスケットＧ４により、冷蔵庫２０１の冷蔵室２２１は密閉状態である。この状態で、左右両扉部２３１、２３２の少なくとも一方を開けた場合には、スライド機構Ｒにより、扉側部材２０７及びリンク部材２０９が、固定ピン２０６を主回転軸として中間位置Ｑ２まで回転する（図１３→図１４）。つまり、中間位置Ｑ２までは、冷蔵庫本体２０２に近い固定ピン２０６を回転軸として回転して、扉部２０３の側面に設けられたガスケットＧ４の開口部２２１ａ側の端部が、他方の扉部側に膨らむように回転しないようにしている。したがって、左右両扉部２３１、２３２の側面に設けられたガスケットＧ４が互いに干渉することなく、完全に離間した状態となる。
【０２５０】
その後、さらに扉部２０３を開けていくと、つまり、中間位置Ｑ２を超えて扉部２０３を回転させると、スライド機構Ｒにより、リンク部材２０９が固定ピン２０６を回転軸として回転しつつ、扉側部材２０７が揺動ピン２０８を主回転軸として回転する（図１５→図１６）。これにより、扉側部材２０７の主回転軸が開口部２２１ａに近い固定ピン２０６から開口部２２１ａから遠い揺動ピン２０８に移行するため、扉部２０３を閉じた状態から９０°以上回転させた場合であっても、扉部２０３の支持側端部と、冷蔵庫本体２０２の角部とが干渉すること無く、所定の角度（例えば１３５°）まで開くことができる。
【０２５１】
以上より、この第２の実施形態では、本体側部材２０５に対して、リンク部材２０９を固定ピン２０６で回動可能に支持すると共に、このリンク部材２０９に対して、扉側部材２０７を回動可能に支持することにした。そうすることで、扉側部材２０７の回転の中心は、本体側部材２０５に対するリンク部材２０９の相対回動角度と、リンク部材２０９に対する扉側部材２０７の相対回動角度とで定まる軌道に沿って移動可能になり、そのことで、固定ピン２０６の中心と揺動ピン２０８の中心との間で回転の中心が切り替わるタイミングや、各中心が扉部２０３の開閉動に伴い移動する軌道が案内されたりする。さらに、当該タイミングや軌道を案内すべく、スライド機構Ｒによって、本体側部材２０５に対して扉側部材２０７を相対回動可能に且つ、相対移動可能に支持することにした。この構成によると、スライド機構Ｒは、扉部２０３の開閉動に伴う、本体側部材２０５に対するリンク部材２０９の相対回動と、リンク部材２０９に対する扉側部材２０７の相対回動とをそれぞれ案内するから、冷蔵庫本体２０２に対する扉部２０３の開閉動を、つまり、扉部２０３の回転の中心が移動する軌道を、扉部２０３の相対回動角度に拘らず、がたつき無く安定させることができる。
【０２５２】
しかも、ガイドピン２５３とガイド孔２０７ｂとは常時摺接しているから、スライド機構Ｒは、扉部２０３が閉塞位置Ｑ１にあるとき、中間位置Ｑ２にあるとき、開放位置Ｑ３にあるときのうち、いずれにおいても常時作用することになる。そうすることで、扉部２０３のがたつきを防止する上で有利になる。
【０２５３】
また、扉側部材２０７、ひいては扉部２０３は、揺動ピン２０８と、ガイドピン２５３と、固定ピン２０６とにより支持されることになるから、扉部２０３の位置決め、及び開閉動を、がたつき無く安定させることができる。
【０２５４】
また、扉部２０３を開閉動させるときに加わる負荷を、固定ピン２０６と揺動ピン２０８とに分散させることができるから、一軸の回転軸を有するヒンジ装置と比較すると、機械的強度を向上させることができる。
【０２５５】
このように構成することで、扉部２０３が開閉するときの動きを比較的精密に調整することができるようになるから、後述するように、左右扉部２３１、２３２の互いに対向する側面に設けたガスケットＧ４同士の干渉を防いたり、扉部２０３の支持側端部と冷蔵庫本体２０２の角部との間の干渉を防いたりするような軌道に調整する上で取り分け有利になる。
【０２５６】
このように構成したヒンジ装置２０４を適用した冷蔵庫２０１においては、左右両扉部２３１、２３２それぞれが閉塞位置Ｑ１及び所定の中間位置Ｑ２の間において、冷蔵庫本体２０２側に配置された固定ピン２０６を回転軸として回転することにより、閉塞位置Ｑ１及び所定の中間位置Ｑ２の間でガスケットＧ４の一部が、他方の扉部側に近づく挙動をすることを防止することができる。これにより、左右両扉部２３１、２３２の互いに向かい合う側面間に設けられた一対のガスケットＧ４同士が擦れる等により生じる開閉の支障を無くすことができる。
【０２５７】
また、扉部２０３が中間位置Ｑ２及び開放位置Ｑ３の間において、冷蔵庫本体２０２に対して固定ピン２０６よりも外側に配置された揺動ピン２０８を回転軸として回転することにより、扉部２０３を冷蔵庫本体２０２から離して回転させることができる。これにより、扉部２０３の支持側端部と、冷蔵庫本体２０２の角部とが干渉することを防ぐことができ、冷蔵庫２０１の開口部を十分に開くことができる。
【０２５８】
このように、スライド機構Ｒによる案内と、リンク部材２０９の回動とが協働することにより、扉部２０３の開閉動に伴って、冷蔵庫本体２０２側に配置された固定ピン２０６まわりの回転軸と、冷蔵庫本体２０２に対して固定ピン２０６よりも外側に配置された揺動ピン２０８まわりの回転軸との間で、切り替わりながら回動するようになるため、左右両扉部２３１、２３２の互いに向かい合う側面間に設けられた一対のガスケットＧ４同士の干渉を防ぎつつも、扉部２０３の支持側端部と、冷蔵庫本体２０２の角部との干渉も防止することができるようになる。
【０２５９】
また、ガイドピン２５３は、扉部２０３が開放位置Ｑ３に至ったとき、及び閉塞位置Ｑ１に至ったとき、それぞれ、ガイド孔２０７ｂにおける、長手方向両端部に当接するよう構成されているから、この両端部を扉部２０３の回り止めとして利用することで、扉部２０３の開放位置Ｑ３及び閉塞位置Ｑ１への位置決め性能が向上すると共に、ヒンジ装置２０４をコンパクトに構成しつつも、その機械的強度を向上させる上で有利になる。
【０２６０】
また、ガイドピン２５３の先端に抜止部２５３ａを設けたから、ガイド孔２０７ｂからのガイドピン２５３の抜脱が防止される。例えば、扉部２０３を強い力で回動させたときに、ガイドピン２５３とガイド孔２０７ｂの一端部とが当接した衝撃で、扉部２０３が上方向に持ち上がることにより、ガイドピン２５３がガイド孔２０７ｂから抜脱してしまう、といった事態を防止することができる。
（第２の実施形態の変形例）
前記実施形態では、スライド機構Ｒが、ガイドピン２５３と、ガイド孔２０７ｂとから構成されるものであったが、ガイド孔２０７ｂが、扉側部材２０７の下面に形成されたガイド溝（スライド溝）であってもよい。また、ガイドピン２５３を扉側部材２０７に設け、ガイド孔２０７ｂ又はガイド溝（スライド溝）を本体側部材２０５に設けた構成であってもよい。
【０２６１】
また、前記実施形態の本体側部材２０５の本体側プレート２５２は、収容空間２５２ｓを有するものであったが、収容空間２５２ｓを有さずに、本体側プレート２５２の上面をリンク部材２０９がスライド回転するものであってもよい。
【０２６２】
さらに、前記実施形態の冷却貯蔵庫は、冷蔵室及び冷凍室を有するものであったが、冷
蔵室のみを有するものであってもよいし、冷凍室のみを有する冷凍庫であってもよい。
＜第３の実施形態＞
以下で説明する第３の実施形態は、請求項１〜２、請求項１１、請求項１４〜１８及び請求項２２〜２４に記載の発明に係るものであり、図１７〜図２５に示されている。以下では、第３の実施形態に係る冷蔵庫３０１の主要構成について説明するが、周知のものを採用している部分、並びに第１及び第２の実施形態と共通の構成については、説明しない場合がある。
【０２６３】
本実施形態に係る冷蔵庫３０１は、図１７に示すように、少なくとも上部に冷蔵室３２１を有する冷蔵庫本体３０２と、冷蔵室３２１の前面に設けられた前面開口部（以下では、単に開口部とも記載）３２１ａを閉塞する扉部３０３と、冷蔵庫本体３０２及び扉部３０３の間に介在して設けられるヒンジ装置３０４とを備えている。
【０２６４】
前記扉部３０３は、開口部３２１ａを左右両側から閉塞する左扉部３３１及び右扉部３３２からなる観音開き式のものである。そして、左右両扉部３３１、３３２の冷蔵庫本体３０２側の面である後面には、扉部３０３が開口部３２１ａを閉塞する閉塞位置Ｍ１において、冷蔵庫本体３０２の前面開口縁と密着するガスケットＧ５が設けられている。また、左右両扉部３３１、３３２の互いに向かい合う側面には、相互に密着する一対のガスケットＧ６が設けられている。
【０２６５】
また、ヒンジ装置３０４は、図１７に示すように、左扉部３３１の上下左端部と冷蔵庫本体３０２との間、及び右扉部３３２の上下右端部と冷蔵庫本体３０２との間に介在して設けられ、扉部３０３を閉塞位置Ｍ１及び前記開口部３２１ａを開放する開放位置Ｍ３との間で回転自在に支持するものである（ここでの“回転”とは、一方向への円運動ばかりでなく、正逆両方向への円運動を含むものとする。こうした両方向への円運動を、以下では“回動”とも記載する。）。なお、開放位置Ｍ３とは、各扉部３３１、３３２が前記閉塞位置Ｍ１から例えば１３５°回転した位置である。具体的にヒンジ装置３０４は、左右両扉部３３１、３３２の下面と当該下面に対向する冷蔵庫本体３０２の上面との間、及び左右両扉部３３１、３３２の上面と当該上面に対向する冷蔵庫本体３０２の下面との間に介在して設けられている。
【０２６６】
各扉部３３１、３３２の上下端部に設けられたヒンジ装置３０４は、この実施形態では、同一構成のものである。具体的にヒンジ装置３０４は、図１８〜図２０に示すように、冷蔵庫本体３０２に取り付けられる本体側部材３０５と、本体側部材３０５に固定ピン３０６を介して回転可能に設けられた、中間部材としてのリンク部材３０９と、リンク部材３０９に揺動ピン３０８を介して回転可能に設けられ、扉部３０３に取り付けられる扉側部材３０７と、本体側部材３０５及び扉側部材３０７の間に介在して設けられ、本体側部材３０５に対する扉側部材３０７の軌道（動作）をガイドするスライド機構Ｎとを備えている。
【０２６７】
以下、各部３０５〜３０９、及びスライド機構Ｎ等について詳細に説明する。
【０２６８】
本体側部材３０５は、冷蔵庫本体３０２に例えばねじ等によって固定され、例えば亜鉛合金（ＺＤＣ２）から形成される本体側プレート３５２を有している。この本体側プレート３５２には、リンク部材３０９を回動可能に収容するための収容空間３５２ｓが設けられている。この収容空間３５２ｓは、図１８（ｂ）に示すように、本体側プレート３５２の下面に開口する、有底薄箱状の空間として構成されていて、該収容空間３５２ｓにおける、冷蔵庫本体３０２から見て、前後方向前方（以下の説明における前後方向とは、冷蔵庫３０１及び冷蔵庫本体３０２の前後方向に相当する方向であり、前方とは、例えば図１８における庫本体側方向の逆方を意味するものとする）且つ、幅方向内方（以下の説明における幅方向とは、冷蔵庫３０１及び冷蔵庫本体３０２の幅方向、つまり図１７における紙面左右方向、及び図２１における紙面上下方向に相当する方向であり、内方及び外方とは、それぞれ、図２１の紙面下方及び紙面上方に相当する方向を意味するものとする）の角部周辺には、固定ピン３０６を取り付けるための貫通孔（図示せず）が設けられている。この貫通孔は、本体側プレート３５２を上下に貫通していて、この貫通孔に挿し通される固定ピン３０６によって、リンク部材３０９が本体側部材３０５に対し、固定ピン３０６まわりで回動可能に支持されている。
【０２６９】
固定ピン３０６は、図１８〜図２０等に示すように、冷蔵庫本体３０２から見て、本体側プレート３５２における前側で且つ、幅方向略中央部周辺の領域に設けられている。
【０２７０】
リンク部材３０９は、図１８〜図２０等に示すように、平面視において略扇形状を有する平板として形成されており、その中心角部近傍にて、固定ピン３０６により回動可能に支持されている。このリンク部材３０９は、収容空間３５２ｓの内壁部によって制限される範囲内を回動するように構成されている。
【０２７１】
具体的に、リンク部材３０９は、扉部３０３の閉塞位置Ｍ１にあっては、収容空間３５２ｓの前後方向に沿って広がる内壁部のうち、幅方向の内側に位置する一方の壁部（図示せず）と当接した状態となり、他方、閉塞位置Ｍ１より扉部３０３が所定角度回転した中間位置Ｍ２にあっては、後述するように、固定ピン３０６を中心として図２１の紙面時計回り方向に回動することにより、収容空間３５２ｓの幅方向に沿って広がる内壁部のうち、前後の前側に位置する一方の壁部（図示せず）と当接した状態にある。この実施形態におけるリンク部材３０９は、第２の実施形態に係るリンク部材２０９とは異なり、扉部３０３の開閉に拘らず、収容空間３５２ｓ内に収容された状態が常時保持されることとなる。
【０２７２】
また、図２０及び図２１等に示すように、本体側部材３０５には、冷蔵庫本体３０２の幅方向で見て固定ピン３０６よりも外方の領域に、揺動ガイド孔３５２ｖが形成されている。この揺動ガイド孔３５２ｖは、固定ピン３０６を中心としたリンク部材３０９の回動を許容する長孔として、略前後方向に沿って延びる円弧状の外形を有するように形成されている。
【０２７３】
揺動ガイド孔３５２ｖは、本体側部材３０５の上面から収容空間３５２ｓまで貫通しており、この揺動ガイド孔３５２ｖには、扉側部材３０７に固定され、該扉側部材３０７の下端部より下方に向けて突出するよう構成された揺動ピン３０８が挿し通されている。この揺動ピン３０８は、本体側部材３０５から収容空間３５２ｓの内部まで延びていて、リンク部材３０９の揺動端部にて、該リンク部材３０９に対して相対回動可能に取り付けられている。つまり、揺動ピン３０８を介して、扉側部材３０７とリンク部材３０９とが、揺動ガイド孔３５２ｖに沿って相対移動可能にかつ、揺動ピン３０８まわりで相対回動可能に連結されることになる。
【０２７４】
なお、揺動ガイド孔３５２ｖが形成される領域からもわかるように、揺動ピン３０８は、扉側部材３０７の動作に伴う揺動ピン３０８の移動を考慮しても、冷蔵庫本体３０２の幅方向で見て、固定ピン３０６よりも外方に配設されている。
【０２７５】
また、揺動ガイド孔３５２ｖの長さは、リンク部材３０９の回動範囲と対応しており、閉塞位置Ｍ１にあっては、揺動ピン３０８と、揺動ガイド孔３５２ｖの図２０における紙面奥側の端部（冷蔵庫本体３０２から見て後側の一端部）Ｐ４とが当接した状態となり、他方、リンク部材３０９及び揺動ピン３０８が、図２１の紙面時計回り方向に所定角度回動した中間位置Ｍ２にあっては、揺動ピン３０８と、揺動ガイド孔３５２ｖの図２０における紙面手前側の端部（冷蔵庫本体３０２から見て前側の一端部）Ｐ３とが当接した状態になる。この実施形態では、第２の実施形態に係る揺動ピン２０８とは異なり、揺動ピン３０８の移動範囲は、揺動ガイド孔３５２ｖの長さに応じて規制されることになり、中間位置Ｍ２から開放位置Ｍ３に至るまで、揺動ガイド孔３５２ｖの前側の一端部Ｐ３に当接した状態が保持されることになる。
【０２７６】
扉側部材３０７は、図２０等に示すように、平板状をなす例えばステンレス鋼（ＳＵＳ）又は浸炭焼き入れがされた例えば冷間圧延鋼板（ＳＰＣＣ）製のものであり、扉部３０３の下端部に取り付けられる支持プレート３７１と、該支持プレート３７１の下面に取り付けられ、本体側部材３０５の上面の上に載せ置かれる案内プレート３７２とを備えている。案内プレート３７２には、揺動ピン３０８を取り付けるための取付孔が設けられていて、前述のように、この揺動ピン３０８を介してリンク部材３０９と扉側部材３０７とを連結させることで、扉側部材３０７は、本体側部材３０５の下面側に取り付けられたリンク部材３０９に対して相対回動可能に、且つ本体側部材３０５に設けた揺動ガイド孔３５２ｖに沿ってリンク部材３０９と一体的にスライド可能に連結されている。
【０２７７】
そして、図２０に示すように、扉側部材３０７の案内プレート３７２にはさらに、前後に沿って略く字状に延びるガイド孔（スライド孔）３０７ｂが設けられていて、本体側部材３０５の上面に取り付けられたガイドピン（スライドピン）３５３を摺動可能に挿通させることで、ガイド孔３０７ｂと、ガイドピン３５３とから成るスライド機構Ｎを構成している。
【０２７８】
そして、本体側部材３０５に設けられた、スライド部としてのガイドピン３５３と、扉側部材３０７に取り付けられた、被スライド部としてのガイド孔３０７ｂとが互いに摺接することで、扉側部材３０７は、リンク部材３０９ばかりでなく、本体側部材３０５に対しても連結されることになる。扉側部材３０７は、本体側部材３０５に対し、ガイド孔３０７ｂが延びる方向に沿って相対移動可能に且つ、ガイド孔３０７ｂまわりで相対回動可能に支持されることになる。
【０２７９】
このスライド機構Ｎは、図２１〜図２４に示すように、閉塞位置Ｍ１及び扉部３０３が閉塞位置Ｍ１から所定角度回転した中間位置Ｍ２の範囲内では、扉部３０３の開動作に連動して、固定ピン３０６を回転軸として、リンク部材３０９が本体側部材３０５に対して扉部３０３の回転方向とは逆回り方向に回動するように案内する。この回動によって、リンク部材３０９に取り付けた揺動ピン３０８を、揺動ガイド孔３５２ｖの後側の端部Ｐ４から前側の端部Ｐ３に移動させつつ、この移動している揺動ピン３０８まわりに扉側部材３０７が回動するように案内する。さらに、中間位置Ｍ２から開放位置Ｍ３までの範囲内では、前側の端部Ｐ３まで移動した揺動ピン３０８を回転軸として扉側部材３０７が回動するように案内する。
【０２８０】
ここで、中間位置Ｍ２は、左右両扉部３３１、３３２の互いに向かい合う側面に設けられた一対のガスケットＧ６が互いに離間する位置であり、本実施形態では、扉部３０３が閉塞位置Ｍ１（回転角度０°）から例えば１５°回転した位置（回転角度１５°）である。
【０２８１】
具体的に、ガイドピン３５３は、本体側プレート３５２の上面における前側に取り付けられており、図２０にも示すように、固定ピン３０６の取り付け位置よりもやや右方且つ、揺動ガイド孔３５２ｖの前端部Ｐ３よりもやや左方にて固定されている。ガイドピン３５３は、本体側プレート３５２から上方に突出するように固定されるよう構成されていて、この本体側プレート３５２の上に載せ置かれた状態で取り付けられる扉側部材３０７には、ガイドピン３５３が摺動可能に挿通されるように、ガイド孔３０７ｂが形成されている（図２０参照）。
【０２８２】
そして、スライド機構Ｎは、扉部３０３が固定ピン３０６及び揺動ピン３０８まわりで回動自在に構成されていたとしても（２軸構成であったとしても）、扉の開閉移動に伴って、固定ピン３０６まわりのリンク部材３０９の回動角度と、揺動ピン３０８まわりの扉側部材３０７の回動角度とが、それぞれ、スライド機構Ｎの構成に基づいて、所定の規則に従って変化するように案内する。そうすることで、扉側部材３０７乃至扉部３０３の開閉動が安定される。
【０２８３】
ガイド孔３０７ｂは、図２１に示すように、扉部３０３が閉塞位置Ｍ１にあるときには、冷蔵庫本体３０２の幅方向内方に向けて湾曲するような、略“く”字状に形成されている。そして、ガイド孔３０７ｂの形状は、扉部３０３が閉塞位置Ｍ１から中間位置Ｍ２に移動する範囲では、この中間位置Ｍ２から開放位置Ｍ３に移動する範囲内よりも緩やかなカーブを描くように構成されている（図２１〜図２２参照）。
【０２８４】
また、ガイド孔３０７ｂの前後の両端Ｎ１，Ｎ２は、それぞれ、図２１及び図２４に示すように、扉部３０３が閉塞位置Ｍ１に至ったとき、及び開放位置Ｍ３に至ったときに、ガイドピン３５３に当接するように構成されていて、扉部３０３の過度の開閉動を防止するよう構成されている。
【０２８５】
具体的に、ガイド孔３０７ｂの形状は、扉部３０３が閉塞位置Ｍ１から中間位置Ｍ２に移動する範囲、すなわち、ガイド孔３０７ｂにおける前側の一端部Ｎ１から略中央部にかけての区間では、冷蔵庫本体３０２の幅方向で見て揺動ピン３０８よりも外方に且つ、冷蔵庫本体３０２の前後方向で見て揺動ピン３０８よりも後方に位置する回転軸Ｏ１を中心として延びる円弧状に形成されている。一方で、中間位置Ｍ２から開放位置Ｍ２に移動する範囲、すなわち、ガイド孔３０７ｂの略中央部から後側の他端部Ｎ２にかけての区間では、閉塞位置Ｍ１から中間位置Ｍ２に移動する範囲内よりも曲率の大きい、揺動ピン３０８の中心Ｏ２まわりに延びる円弧状に形成されている（図２２〜図２４参照）。このように構成することで、スライド機構Ｎは、ガスケットＧ５、Ｇ６を設けた貯蔵庫に適用したときに、後述するような、取り分け有効な効果を発揮することになる。
【０２８６】
また、ガイドピン３５３は、その基端部が本体側プレート３５２の上面にて固定されている一方、その先端部には、ガイド孔３０７ｂからのガイドピン３５３の抜脱を防止するための抜止部３５３ａが設けられている。この抜止部３５３ａは、図２０等に示すように、ガイド孔３０７ｂの幅よりも大径の円板状に形成されている。
【０２８７】
また、図２４に示すように、開放位置Ｍ３において、本体側部材３０５の一部、リンク部材３０９の一部及び扉側部材３０７の一部が、揺動ピン３０８の軸方向から見て互いに重なり合っている。このように、開放位置Ｍ３において、本体側部材３０５、リンク部材３０９及び扉側部材３０７が互いに重なり合っている部分を有するので、ヒンジ装置３０４の開放位置Ｍ３における機械的強度を増すことができる。その結果、ヒンジ装置３０４の機械的強度を確保しつつも、本体側部材３０５、リンク部材３０９及び扉側部材３０７を薄くすることができる。
【０２８８】
しかも、図２１〜図２３から見て取れるように、閉塞位置Ｍ１、中間位置Ｍ２においてもやはり、本体側部材３０５の一部、リンク部材３０９の一部及び扉側部材３０７の一部が、揺動ピン３０８（固定ピン３０６）の軸方向から見て互いに重なり合っている。ゆえに、開放位置Ｍ３ばかりでなく、閉塞位置Ｍ１、中間位置Ｍ２においてもなお、前述のような、ヒンジ装置３０４の機械的強度を確保する効果が発揮されるように構成されている。
【０２８９】
さらに本実施形態では、図２０及び図２１等に示すように、前記構成において移動途中でスライド機構Ｎで生じ得る扉側部材３０７のロッキングを防止するためのサブスライド機構Ｖが設けられている。
【０２９０】
このサブスライド機構Ｖは、本体側部材３０５及び扉側部材３０７の間に介在して設けられ、揺動ピン３０８から見て、スライド機構Ｎよりも径方向外側（幅方向内側）に配設されている。具体的にサブスライド機構Ｖは、本体側部材３０５の本体側プレート３５２の上面に突設されたサブガイドピンＶ１と、当該サブガイドピンＶ１が摺動可能に構成されたサブガイド溝Ｖ２とから構成されている。これに対応するサブガイド溝Ｖ２は、扉側部材３０７の案内プレート３７２の下面に形成されている。この実施形態におけるサブスライド機構Ｖは、第２の実施形態におけるサブスライド機構Ｓとは異なり、扉部３０３の閉塞位置Ｍ１から中間位置Ｍ２までの区間における開閉動をガイドするように構成されている。
【０２９１】
次に上記のように構成したヒンジ装置３０４を適用したときの、扉部３０３の開閉動作について説明する。
【０２９２】
まず、左右両扉部３３１、３３２が閉じた状態で、左右両扉部３３１、３３２の後面に設けられたガスケットＧ５及び左右両扉部３３１、３３２の互いに向かい合う側面に設けられた一対のガスケットＧ６により、冷蔵庫３０１の冷蔵室３２１は密閉状態である。この状態で、左右両扉部３３１、３３２の少なくとも一方を開けた場合には、扉側部材３０７は、スライド機構Ｎが作動することにより、中間位置Ｍ２までは、揺動ピン３０８よりも、冷蔵庫本体３０２の幅方向で見て外方且つ、冷蔵庫本体３０２の前後方向で見て後方に位置する回転軸Ｏ１を中心とした円弧を描くように、揺動ガイド孔３５２ｖの一端部Ｐ３に向けて移動しながら揺動ピン３０８まわりに回転する（図２１→図２２）。このとき、リンク部材３０９は、固定ピン３０６を回転軸として扉側部材３０７の回転方向と逆回りに回転することにより、揺動ピン３０８、ひいては扉側部材３０７の揺動ガイド孔３５２ｖの長手方向に沿ったがたつきを防止すべく、揺動ピン３０８の移動、ひいては扉側部材３０７の開動がスムーズになるように案内する。つまり、中間位置Ｍ２までは、扉部３０３は、固定ピン３０６、及び揺動ピン３０８よりも冷蔵庫本体３０２側に近接した回転軸Ｏ１を中心とした円弧を描くように移動することで、揺動ピン３０８の中心Ｏ２まわりの円弧に沿って回転するときと比較すると、扉部３０３の側面に設けたガスケットＧ６の開口部３２１ａ側の端部が他方の扉側に膨らむように回転しないようになっている（図２５の矢印Ａに示すように、扉部３０３を閉塞位置Ｍ１から開いたとき、幅方向外方に向けて湾曲するような軌道を描く）。したがって、左右両扉３３１，３３２の互いに対向する側面（戸先）に設けたガスケットＧ６が互いに干渉することなく、離間するように移動する。
【０２９３】
しかも、扉側部材３０７全体が回転軸Ｏ１を中心とした円弧に沿って移動するよう案内されることで、扉部３０３の後面は、冷蔵庫本体３０２の前面から離れるように移動することになる。図２１及び２２にも示すように、回転軸Ｏ１は、揺動ピン３０８よりも、冷蔵庫本体３０２の幅方向で見て外方に位置しているから、揺動ピン３０８の中心Ｏ２まわりの円弧に沿って回転するときと比較すると、扉部３０３全体が回転軸Ｏ１まわりの円弧を描くように移動することで、扉部３０３の後面は、冷蔵庫本体３０２の前面開口縁から、略前方に向けて比較的大きく迫り出すようにスライドすることになる。そうすることにより、扉部３０３の後面に設けたガスケットＧ５は、冷蔵庫本体３０２の前面開口縁から、離間するように移動することになる。
【０２９４】
その後、さらに扉部３０３を開けていくと、つまり、中間位置Ｍ２まで達すると、図２２に示すように、揺動ピン３０８が揺動ガイド孔３５２ｖの前側の端部Ｐ３に当接すると共に、リンク部材３０９も、収容空間３５２ｓの内壁部（図示せず）に当接する。中間位置Ｍ２から閉塞位置Ｍ３までの領域では、ガイド孔３０７ｂは、揺動ピン３０８の中心Ｏ２まわりで円弧状のカーブを描くように延びているから、この領域では、扉側部材３０７は、この中心Ｏ２を回転軸として回転する（図２２→図２３）。このとき、揺動ピン３０８は、揺動ガイド孔３５２ｖの前側の端部Ｐ３に当接した状態に保持され、そのことで、扉部３０３もまた、冷蔵庫本体３０２の前面から略前方に向けてスライドした状態に保持されるから、扉部３０３を閉塞位置から９０°以上回転させた場合であっても、扉部３０３の支持側端部と、冷蔵庫本体３０２の角部とが干渉することなく、所定の角度（例えば１３５°）まで開くことができる。
【０２９５】
そして、扉部３０３が開放位置Ｍ３まで開くと、ガイド孔３０７ｂの端部Ｎ２とガイドピン３５３とが当接することにより、それ以上の開動は規制されることになる（図２４）。
【０２９６】
以上より、この第３の実施形態では、本体側部材３０５に対して、リンク部材３０９を固定ピン３０６で回動可能に支持すると共に、このリンク部材３０９に対して、扉側部材３０７を回動可能に支持することにした。そうすることで、扉側部材３０７の回転の中心は、本体側部材３０５に対するリンク部材３０９の相対回動と、リンク部材３０９に対する扉側部材３０７の相対回動とで定まる軌道に沿って移動することになり、そのことで、揺動ピン３０８よりも、冷蔵庫本体３０２の幅方向で見て外方且つ、冷蔵庫本体３０２の前後方向で見て後方に位置する回転軸Ｏ１と揺動ピン３０８の中心Ｏ２との間で回転の中心が切り替わるタイミングや、揺動ピン３０８の中心Ｏ２が扉部３０３の開閉動に伴い移動する軌道が案内されたりする。さらに、当該タイミングや軌道を案内すべく、スライド機構Ｎによって、本体側部材３０５に対して扉側部材３０７を相対回動可能に且つ、相対移動可能に支持することにした。この実施形態に係る構成によると、スライド機構Ｎは、扉部３０３の開閉動に伴う、本体側部材３０５に対するリンク部材３０９の相対回動角度と、リンク部材３０９に対する扉側部材３０７の相対回動角度とが、それぞれ所定の推移を辿るように案内するから、冷蔵庫本体３０２に対する扉部３０３の開閉動を、つまり、扉部３０３の回転の中心が移動する軌道を、扉部３０３の相対回動角度に拘らず、がたつき無く安定させることができる。
【０２９７】
また、扉側部材３０７、ひいては扉部３０３は、揺動ピン３０８と、ガイドピン３５３と、固定ピン３０６とにより支持されることになるから、扉部３０３の位置決め、及び開閉動を、がたつき無く安定させることができる。
【０２９８】
しかも、ガイドピン３５３とガイド孔３０７ｂとは常時摺接しているから、スライド機構Ｎは、扉部３０３が閉塞位置Ｍ１にあるとき、中間位置Ｍ２にあるとき、開放位置Ｍ３にあるときのうち、いずれにおいても常時作用することになる。そうすることで、扉部３０３のがたつきを防止して、開閉動を安定させる上で有利になる。
【０２９９】
また、扉部３０３を開閉動させるときに加わる負荷を、固定ピン３０６と揺動ピン３０８とに分散させることができるから、一軸の回転軸を有するヒンジ装置と比較すると、機械的強度を向上させることができる。
【０３００】
このように構成することで、扉部３０３が開閉するときの動きを比較的精密に調整することができるようになるから、後述するように、左右扉部３３１、３３２の互いに対向する側面に設けたガスケットＧ５同士の干渉を防いたり、扉部３０３の支持側端部と冷蔵庫本体３０２の角部との間の干渉を防いたりするような軌道に調整する上で取り分け有利になる。
【０３０１】
以上のように構成したヒンジ装置３０４を適用した冷蔵庫３０１においては、左右両扉部３３１、３３２それぞれが閉塞位置Ｍ１及び所定の中間位置Ｍ２の間において、扉側部材３０７は、冷蔵庫本体３０２の前後方向で見て、揺動ピン３０８よりも冷蔵庫本体３０２に対して近接した回転軸Ｏ１を中心とした弧を描くようにスライド移動しつつ回転する。このように動作することで、閉塞位置Ｍ１から所定の中間位置Ｍ２までの間でガスケットＧ６の一部が、他方の扉側に近づく挙動をすることを防止することができる。これにより、左右両扉部３３１、３３２の互いに向かい合う側面間に設けられた一対のガスケットＧ６同士が擦れる等により生じる開閉の支障を無くすことができる。しかも、扉側部材３０７全体は、冷蔵庫本体３０２の幅方向で見て、揺動ピン３０８よりも外方に位置する回転軸Ｏ１を中心とした円弧に沿って略前方に向かうようスライドすることになるから、扉部３０３の後面に設けたガスケットＧ５は、冷蔵庫本体３０２の前面開口縁から、離間するよう移動することになる。このように移動することにより、扉部３０３が閉塞位置Ｍ１から開くときに、このガスケットＧ５が扉部３０３の回転により冷蔵庫本体３０２の前面開口縁に干渉して巻き込まれてしまうような事態を防止することができる。
【０３０２】
また、扉部３０３が中間位置Ｍ２及び開放位置Ｍ３の間において、前側の端部Ｐ３まで移動させた揺動ピン３０８の中心Ｏ２を回転軸として回転することにより、扉部３０３を冷蔵庫本体３０２から離して回転させることができる。これにより、扉部３０３の支持側端部と、冷蔵庫本体３０２の角部とが干渉することを防ぐことができ、冷蔵庫３０１の開口部を十分に開くことができる。
【０３０３】
このように、スライド機構Ｎによる案内と、リンク部材３０９の回動とが協働することにより、扉部３０３の開閉動に伴って、揺動ピン３０８よりも、冷蔵庫本体３０２の幅方向で見て外方且つ、冷蔵庫本体３０２の前後方向で見て後方に位置する回転軸Ｏ１と、揺動ピン３０８の中心Ｏ２との間で、切り替わりながら回動するようになるため、左右両扉部３３１、３３２の互いに向かい合う側面間に設けられた一対のガスケットＧ６同士の干渉を防ぎつつも、扉部３０３の支持側端部と、冷蔵庫本体３０２の角部との干渉も防止することができるようになって、しかも扉部３０３の後面を冷蔵庫本体３０２の前面から離隔させることで、この後面に設けたガスケットＧ５が冷蔵庫本体３０２の前面に干渉して巻き込まれてしまうような事態を防止することができるようになる。
【０３０４】
また、ガイドピン３５３は、扉部３０３が閉塞位置Ｍ１に至ったとき、及び開放位置Ｍ３に至ったときには、それぞれ、ガイド孔３０７ｂの両端部Ｎ１，Ｎ２に当接するよう構成されているから、各端部Ｎ１，Ｎ２を扉部３０３の回り止めとして利用することで、扉部３０３の閉塞位置Ｍ１及び開放位置Ｍ３への位置決め性能が向上すると共に、ヒンジ装置３０４をコンパクトに構成しつつも、その機械的強度を向上させる上で有利になる。
【０３０５】
また、ガイドピン３５３の先端に抜止部３５３ａを設けたから、ガイド孔３０７ｂからのガイドピン３５３の抜脱が防止される。例えば、扉部３０３を強い力で回動させたときに、ガイドピン３５３とガイド孔３０７ｂの端部Ｎ２とが当接した衝撃で、扉部３０３が上方向に持ち上がることにより、ガイドピン３５３がガイド孔３０７ｂから抜脱してしまう、といった事態を防止することができる。
【０３０６】
リンク部材３０９は、扉部３０３の開閉動する方向に対して逆回り方向に回動するよう構成されているから、揺動ピン３０８を前方に比較的大きく移動させつつ、さらには、リンク部材３０９の、扉部３０３の回転方向に沿った移動量を減らすことができる。よって、本体側部材３０５からのリンク部材３０９の露出を防止することもできるようになって、ヒンジ装置３０４のデザイン性を向上させることができる。
（第３の実施形態の変形例）
この実施形態によると、扉部３０３が閉塞位置Ｍ１から開くときに、その扉部３０３を前方に向けて比較的大きくスライドさせることができる。よって、扉部３０３後面のガスケットＧ５を、固定ピン３０６や揺動ピン３０８よりも、冷蔵庫本体３０２の幅方向で見て外方に配設することが可能となるから、扉部３０３の後面に、第１の実施形態にて述べたような、閉塞位置において、冷蔵庫本体３０２の前面開口縁に当接又は近接する対向面を設けてもよい。そうすることで、冷蔵庫の断熱性能を向上させることができる。
【０３０７】
前記実施形態では、スライド機構Ｎが、ガイドピン３５３と、ガイド孔３０７ｂとから構成されるものであったが、ガイド孔３０７ｂが、扉側部材３０７の案内プレート３７２の下面に形成されたガイド溝（スライド溝）であってもよい。また、ガイドピン３５３を扉側部材３０７に設け、ガイド孔３０７ｂ又はガイド溝（スライド溝）を本体側部材３０５に設けた構成であってもよい。
【０３０８】
また、前記実施形態の本体側部材３０５の本体側プレート３５２は、収容空間３５２ｓを有するよう形成されたものであったが、収容空間３５２ｓを設けずに、本体側プレート３５２の下面に沿ってリンク部材３０９が回動するよう構成されたものであってもよい。
【０３０９】
さらに、前記実施形態の冷却貯蔵庫は、冷蔵室及び冷凍室を有するものであったが、冷
蔵室のみを有するものであってもよいし、冷凍室のみを有する冷凍庫であってもよい。
【符号の説明】
【０３１０】
１０１，２０１，３０１  冷蔵庫（冷却貯蔵庫）
１０２，２０２，３０３  冷蔵庫本体（庫本体）
１２１，２２１，３２１  第１貯蔵室（貯蔵室）
１２１ａ，２２１ａ，３２１ａ  第１開口部（開口部）
１０３，２０３，３０３  扉部
１０３ｄ  対向面
１０４，２０４，３０４  ヒンジ装置
１０５  軸部材（本体側部材）
２０５，３０５  本体側部材
３５２ｖ  揺動ガイド孔
１５３  ヒンジピン（スライドピン，スライド部）
２５３，３５３  ガイドピン（スライドピン，スライド部）
２５３ａ，３５３ａ  抜止部
２０６，３０６  固定ピン
１０７  軸受部材（扉側部材）
１０７ｂ  長孔（被スライド部）
１０７ｄ  カムフォロア
１０７ｅ  第１フォロア部
１０７ｆ  第２フォロア部
１０７ｇ  ストッパ部
２０７，３０７  扉側部材
２０７ｂ，３０７ｂ  ガイド溝又はガイド孔（スライド溝又はスライド孔，被スライド部）
２０８，３０８  揺動ピン
１０９  カム（中間部材）
１９１  第１カム部
１９１ａ  第１位置決め面
１９１ｂ  第１カム面
１９１ｃ  第１案内面
１９１ｄ  第１回り止め面
１９２  第２カム部
１９２ａ  第２位置決め面
１９２ｂ  第２カム面
１９２ｃ  第２案内面
１９２ｄ  第２回り止め面
２０９，３０９  リンク部材（中間部材）
Ｃ  カム機構
Ｇ１，Ｇ３，Ｇ５  ガスケット（扉部の後面に設けたガスケット）
Ｇ４，Ｇ６  ガスケット（左右両扉の互いに向かい合う側面に設けたガスケット）
Ｒ，Ｎ  スライド機構
Ｓ，Ｖ  サブスライド機構
Ｑ１，Ｍ１  閉塞位置
Ｑ２，Ｍ２  中間位置
Ｑ３，Ｍ３  閉塞位置
【図１】
2015135228.tif 000003
【図２】
2015135228.tif 000004
【図３】
2015135228.tif 000005
【図４】
2015135228.tif 000006
【図５】
2015135228.tif 000007
【図６】
2015135228.tif 000008
【図７】
2015135228.tif 000009
【図８】
2015135228.tif 000010
【図９】
2015135228.tif 000011
【図１０】
2015135228.tif 000012
【図１１】
2015135228.tif 000013
【図１２】
2015135228.tif 000014
【図１３】
2015135228.tif 000015
【図１４】
2015135228.tif 000016
【図１５】
2015135228.tif 000017
【図１６】
2015135228.tif 000018
【図１７】
2015135228.tif 000019
【図１８】
2015135228.tif 000020
【図１９】
2015135228.tif 000021
【図２０】
2015135228.tif 000022
【図２１】
2015135228.tif 000023
【図２２】
2015135228.tif 000024
【図２３】
2015135228.tif 000025
【図２４】
2015135228.tif 000026
【図２５】
2015135228.tif 000027